(57)【要約】【課題】基板シートに表面強度の弱い紙を採用し、接着テープによって剥離可能な隠蔽層を施しても、紙剥けを生ずることなく隠蔽層を剥がすことが可能である印刷物を提供することにある。【解決手段】基板シートと、基板シートの上に位置し抽選情報を有する情報インキ層と、少なくとも前記情報インキ層を覆うように基板シート上に設けられたニス層と、前記ニス層の上に位置し少なくとも前記抽選情報を隠蔽し、かつ、ニス層と剥離可能に設けられた隠蔽層とを有し、前記ニス層を少なくとも、隠蔽層よりも面積が大きく、かつ、隠蔽層の外周よりも出るように設けた事を特徴とする印刷物である。【選択図】図１
2004114391.tif 000002
【特許請求の範囲】
【請求項１】
基板シートと、
基板シートの上に位置し、抽選情報を有する情報インキ層と、
少なくとも前記情報インキ層を覆うように基板シート上に設けられたニス層と、
前記ニス層の上に位置し、少なくとも前記抽選情報を隠蔽し、かつ、ニス層と剥離可能に設けられた隠蔽層と、を有し、
前記ニス層を少なくとも、隠蔽層よりも面積が大きく、かつ、隠蔽層の外周よりも出るように設けた事を特徴とする印刷物。
【請求項２】
基板シートと、
基板シートの上に任意の順で積層された、下地インキ層、及び、抽選情報を有する情報インキ層と、
少なくとも前記抽選情報を覆うように基板シート上に設けられたニス層と、
前記ニス層の上に位置し、少なくとも前記抽選情報を隠蔽し、かつ、ニス層と剥離可能に設けられた隠蔽層と、を有し、
前記ニス層を少なくとも、隠蔽層よりも面積が大きく、かつ、隠蔽層の外周よりも出るように設けた事を特徴とする印刷物。
【請求項３】
基板シートと、
基板シートの上に位置し、抽選情報を有する情報インキ層と、
少なくとも前記抽選情報を覆うように基板シート上に設けられたニス層と、
前記ニス層の上に位置し、ニス層と剥離可能に設けられたインキ層と、
前記インキ層の上に位置し、少なくとも前記抽選情報を隠蔽し、かつ、インキ層と共に剥離可能に設けられた隠蔽層と、を有し、
前記ニス層を少なくとも、隠蔽層よりも面積が大きく、かつ、隠蔽層の外周よりも出るように設けた事を特徴とする印刷物。
【請求項４】
基板シートと、
基板シートの上に位置し、抽選情報を有する情報インキ層と、
少なくとも前記抽選情報を覆うように基板シート上に設けられたニス層と、
前記ニス層の上に位置し、少なくとも前記抽選情報を隠蔽し、かつ、ニス層と剥離可能に設けられた隠蔽層と、
前記隠蔽層の上に位置し、隠蔽層と共に剥離可能に設けられたインキ層と、を有し、
前記ニス層を少なくとも、隠蔽層よりも面積が大きく、かつ、隠蔽層の外周よりも出るように設けた事を特徴とする印刷物。
【請求項５】
前記ニス層を基板シートの略全面に設けたことを特徴とする請求項１乃至請求項４の何れか一つに記載の印刷物。
【請求項６】
情報インキ層を網点面積率が略３０％の網点で形成したことを特徴とする請求項１乃至請求項５の何れか一つに記載の印刷物。
【請求項７】
請求項１乃至請求項６の何れか一つに記載の印刷物を有する冊子体。
【発明の詳細な説明】
【０００１】
【発明の属する技術分野】
本発明は、剥離可能な隠蔽層を有する印刷物に関するものである。
【０００２】
【従来の技術】
基板シートに、文字、記号、図形などからなる抽選情報を印刷し、抽選情報を覆うようにニス層を印刷方法によって設け、更に、ニス層の上に抽選情報を隠蔽するように隠蔽層を印刷方法によって設けるという印刷物は、スピードくじやゲームなどで使用されている。これらの印刷物は、通常の状態では抽選情報を見ることができないが、接着テープを用いて隠蔽層を剥離することによって抽選情報を見ることができるようになる。つまり、抽選情報を見るには、接着テープを隠蔽層の上に貼着した後、接着テープを引き剥ぐと、ニス層と隠蔽層との間で剥離し、隠蔽層が剥がれることによって可能となる。
【０００３】
しかしながら、上述した印刷物は、基板シートに表面強度が弱い紙を採用することが困難であるという問題を有していた。
【０００４】
すなわち、隠蔽層を剥離するためには、接着テープを一度隠蔽層に貼着したのち、引き剥がさなければならない。隠蔽層に接着テープを貼着する際は、隠蔽層を覆うように貼着する必要があるので、基板シートにも接着テープが貼着することとなる。基板シートに表面強度が弱い紙を採用した場合、引き剥がすときに接着テープの接着力によって紙が剥けてしまい、抽選情報も紙ごと剥けてしまうため、外観を損ねるだけでなく、抽選情報を読み取ることが困難になってしまう。このように隠蔽層を剥離したときに抽選情報が読み取れなくなってしまうと、くじなどとしての機能を有さなくなってしまう。そこで、基板シートには、接着テープの接着力に耐えることができるように、表面強度が強い紙を採用せねばならず、基板シートに採用できる紙の種類が限定されていた。
【０００５】
また、本願出願人は、特許第２７１１７７２号において、隠蔽層を硬く強固なものとし、雑誌にも閉じこめるようにした印刷物を示している。これは、爪やコインで引っ掻くことにより隠蔽層を削り取って抽選情報を読み取るという種類の隠蔽層を有する印刷物が、隠蔽層が削り取ることができるように比較的柔らかいものであるため、雑誌などの間に綴じこもうとすると、製本時に他の折などと擦り合って傷が付いてしまうので綴じ込むことができないという課題を解決したものである。しかし、上記の発明によっても、基板シートに表面強度の弱い紙を採用すると、接着テープを用いて隠蔽層を剥がす際に紙剥けが生じてしまう、という問題を解決できていない。
【０００６】
【発明が解決しようとする課題】
そこで、本願発明は、かかる従来技術の課題に鑑みてなされたものであり、その目的とするところは、基板シートに表面強度の弱い紙を採用し、接着テープによって剥離可能な隠蔽層を施しても、紙剥けを生ずることなく隠蔽層を剥がすことが可能である印刷物を提供することにある。
【０００７】
【課題を解決するための手段】
かかる課題を解決するため、本願発明の請求項１は、基板シートと、基板シートの上に位置し抽選情報を有する情報インキ層と、少なくとも前記情報インキ層を覆うように基板シート上に設けられたニス層と、前記ニス層の上に位置し少なくとも前記抽選情報を隠蔽し、かつ、ニス層と剥離可能に設けられた隠蔽層とを有し、前記ニス層を少なくとも、隠蔽層よりも面積が大きく、かつ、隠蔽層の外周よりも出るように設けた事を特徴とする印刷物である。
【０００８】
すなわち、本願発明の請求項１によれば、ニス層を、少なくとも抽選情報を隠蔽する隠蔽層よりも面積が大きく、かつ、隠蔽層の外周よりも出るように設けているため、基板シートに表面強度の弱い紙を採用して接着テープによって剥離可能な隠蔽層を施しても、紙剥けを生ずることなく隠蔽層を剥がすことが可能である。
【０００９】
つまり、ニス層を、少なくとも隠蔽層よりも面積が大きく、かつ、隠蔽層の外周よりも出るように設けているため、ニス層が紙の表面を保護する役割を果たし、接着テープによる紙剥けを防ぐ役割を担う。
【００１０】従来のように、ニス層と隠蔽層が同じ面積で重複するように重なっている場合は、隠蔽層を剥がすために隠蔽層に接着テープを貼着したときに、接着テープが紙にも貼着してしまい、紙剥けを発生させ、その結果、情報インキ層も紙ごと剥いてしまう事態が発生する。しかし、本願発明の請求項１においては、ニス層を隠蔽層よりも広げているため、接着テープは、紙ではなくニス層に貼着することとなり、紙剥けを発生させず、隠蔽層のみを剥がすことが可能となる。
【００１１】
なお、このニス層の表面は摩擦が少ないため接着テープののり部分との接着が弱く、更に、ニス層を形成するインキが紙にしみこんでいるため、接着テープによってニス層が剥がされてしまうということはない。
【００１２】
よって、本願発明の請求項１によれば、ニス層を少なくとも、隠蔽層よりも面積が大きく、かつ、隠蔽層の外周よりも出るように設けているため、基板シートに表面強度が弱い紙を採用してもくじなどとしての機能を有する。
【００１３】
なお、ここで印刷物とは、例えば、カード、遊戯用カード、ちらし、ダイレクトメール、電報台紙、紙製包装用容器、カレンダー、紙製文房具等がある。カードはカード状のものであればいずれのものでもよく、例えばパーティで配布するカード、グリーティングカード、郵便葉書、名刺、ポケットティッシュに入れるカード印刷物などがある。遊戯用カードは遊戯に使用するカード状のもので紙よりなるものであればいずれものものでもよく、かるた、トランプ、花札などがある。ちらしは広告機能を有していれば、折り畳み状、シート状、いずれのものでもよく、例えば、新聞おり込みちらし、びら、街頭配布ちらし、パンフレット等がある。ダイレクトメールは、封筒状であればいずれのものでもよく、電報台紙は、電報用紙を保持できる形状であればいずれのものでもよい。紙製包装用容器は、物を包む立体物状に加工される紙で印刷が可能であればいずれのものでもよく、例えばお菓子の紙箱、飲料品の紙パック、ラッピング用紙、紙袋、ダンボール箱などがある。カレンダーは、紙よりなり暦が印刷可能であればいずれのものでもよく、日めくり、卓上カレンダー等がある。紙製文房具は、紙よりなるものであればいずれのものでもよく、例えば、アルバム、カーボンペーパー、けい紙、スクラップブック、スケッチブック、スコアーカード、スコアーブック、帳簿、手帳、伝票、謄写原紙、トレーシングペーパー、ノートブック、便箋、封筒、方眼紙、ルーズリーフ等がある。無論本願発明はこれに限定するものではなく、紙よりなり、印刷が可能であれば全てが印刷物に該当する。
【００１４】
また、本願発明の請求項２は、基板シートと、基板シートの上に任意の順で積層された、下地インキ層、及び、抽選情報を有する情報インキ層と、少なくとも前記抽選情報を覆うように基板シート上に設けられたニス層と、前記ニス層の上に位置し少なくとも前記抽選情報を隠蔽し、かつ、ニス層と剥離可能に設けられた隠蔽層とを有し、前記ニス層を少なくとも、隠蔽層よりも面積が大きく、かつ、隠蔽層の外周よりも出るように設けた事を特徴とする印刷物である。
【００１５】
よって、本願発明の請求項２によれば、基板シートの上に情報インキ層と任意の順で積層される下地インキ層を有しているため、基板シートの裏面から強い光を当てて、抽選情報を最外層に影として写し出しても、写し出された影による抽選情報の解読を困難にさせる事が可能であり、更に、ニス層を少なくとも、隠蔽層よりも面積が大きく、かつ、隠蔽層の外周よりも出るように設けているため、接着テープによって剥離可能な隠蔽層を施しても、紙剥けを生ずることなく隠蔽層を剥がすことが可能である。
【００１６】
つまり、請求項１に包含される形態である、ニス層を少なくとも、隠蔽層よりも面積が大きく、かつ、隠蔽層の外周よりも出るように設けた場合は、基板シートに表面強度の弱い紙を採用することが可能となるが、ある程度厚みのある紙を採用しなければ、基板シートの裏面から強い光を当てた場合に、隠蔽層に隠蔽してある抽選情報が最外層に影となって写りやすくなり、抽選情報の解読が、基板シートに薄い紙を採用した場合に比べて、容易になってしまうという問題を有している。例えば、小学校低学年向けの雑誌の付録用のくじ等のように隠蔽してある抽選情報を不正に読み取られてもかまわないような場合ではそれほど重要な問題ではないが、例えば、宝くじのように金銭が関係するくじなどにおいては重要な問題である。宝くじのように金銭が関係するくじなどにおいて、基板シートの裏面から強い光を当てることにより、隠蔽してある抽選情報を事前に読み取るという不正行為が可能になってしまったならば、並々でない混乱を招くことになってしまう。したがって、宝くじや豪華景品が当たるくじ等のように、隠蔽してある抽選情報が重大な価値を有するものである場合に、本願請求項１記載の発明によって、それらのくじを作成しようとするならば、基板シートに採用する紙を、ある程度厚みを有しているものにしなければならない。例えば、グラビア印刷で微塗工紙と呼ばれているような、非常に薄く、表面強度の弱い紙を基板シートに採用することは困難である。しかし、厚い紙を基板シートに採用すると、紙が厚いため、折丁に加工することが困難なこと、及び、折丁に加工できても、雑誌１冊あたりの厚みが増して運用コストが上がってしまうこと等の理由により、できあがった印刷物はシート状やカード状となってしまう。これらのシート状やカード状の印刷物を冊子体に綴じ込もうとすると、新たな工程が必要になってしまうため、製造コストを高くする要因となっていた。
【００１７】
請求項２では、情報インキ層と任意の順に積層される下地インキ層によって、基板シートに薄い紙を採用することが可能となる。なぜなら、下地インキ層が、基板シートの裏面から強い光を当てて抽選情報を最外層に影として写し出しても、その影による抽選情報の解読を困難にさせるという役割を担うからである。ここで、下地インキ層は、文字、記号、図形、もしくはこれらの結合でもよく、又は、ベタ塗りでもよい。下地インキ層に使用する色は抽選情報と区別することができれば何色を用いても良く、更には、カラーの絵柄でも良い。また、情報インキ層と少なくとも一部が重複していればよいので、例えば、下地インキ層を基板シート一面に設けてもよい。ここで、重複するとは、例えば、下地インキ層と情報インキ層を印刷方式で設けた場合、それぞれの層を形成する印刷部分が少なくとも一部は重なるということである。なお、下地インキ層は、基板シートの裏面から強い光を当てて抽選情報を最外層に影として写し出しても、その写し出された影による抽選情報の解読を困難にさせるという役割を担うものであるため、たとえ情報インキ層と重複しなくてもこの役割を担うことができれば重複する必要は無い。
【００１８】
たとえば、下地インキ層を絵柄とした場合、基板シートの裏面から強い光を当てて、抽選情報を最外層である隠蔽層に影として写し出し、写し出された影によって抽選情報を読み取ろうとしても、下地インキ層の絵柄も隠蔽層に影を作るため、抽選情報の影のみを認識することをより困難にすることが可能となる。
【００１９】
また、下地インキ層をベタとした場合、基板シートの裏面から強い光を当てて、抽選情報を最外層である隠蔽層に影として写し出し、写し出された影によって抽選情報を読み取ろうとしても、下地インキ層によって光がより遮断されるので、抽選情報の影を最外層である隠蔽層に写し出すことをより困難にすることが可能となる。
【００２０】
更に、ニス層は、少なくとも隠蔽層よりも面積が大きく、かつ、隠蔽層の外周よりも出るように設けられているため、紙の表面を保護する役割を果たし、接着テープによる紙剥けを防ぐ役割を担っている。
【００２１】
従来のように、ニス層と隠蔽層が同じ面積で重複するように重なっている場合は、隠蔽層を剥がすために隠蔽層に接着テープを貼着したときに、接着テープが紙にも貼着してしまい、紙剥けを発生させ、その結果、情報インキ層も紙ごと剥いてしまう事態が発生する。しかし、本願発明の請求項１においては、ニス層を隠蔽層よりも広げているため、接着テープは、紙ではなくニス層に貼着することとなり、紙剥けを発生させず、隠蔽層のみを剥がすことが可能となる。
【００２２】
なお、このニス層の表面は摩擦が少ないため接着テープののり部分との接着が弱く、更に、ニス層を形成しているインキが紙にしみこんでいるため紙と強力に接着されているので、接着テープによってニス層が剥がされてしまうということはない。
【００２３】
よって、本願発明の請求項２によれば、基板シートに薄く、表面強度の弱い紙を採用して、接着テープによって剥離可能な隠蔽層を施しても、紙剥けを生ずることなく隠蔽層を剥がすことができ、かつ、基板シートの裏面から強い光を当てて抽選情報を最外層に影として写し出しても抽選情報の解読を困難にすることができる印刷物を提供することが可能になる。
【００２４】
また、基板シートに薄い紙を採用することができるので、本願発明によるくじなどを折丁の一部とすることも可能となる。つまり、紙の任意の場所に本願発明によってくじなどを設けた後は、通常の工程で折丁に加工することができるようになる。このことによって、くじ部分を有する冊子体を通常の製本工程で製造することが可能となり、厚い紙を採用して冊子体を製造する場合よりも製造コストを下げることが可能となる。したがって、折丁とすることができない厚い紙を採用した場合のように、新たな工程を設ける必要が無く、製造コストを下げることが可能になる。
【００２５】
更に、基板シートに薄い紙を採用すると、各層を施した後に基板シートを簡単に折ることができるため、ちらしのような折り畳み状のものにも接着テープによって剥離可能な隠蔽層を設ける事が可能となる。したがって、例えば、新聞の折り込みちらしやパンフレットなどに接着テープによって剥離可能な隠蔽層を設けることが可能になり、このことによって広告効果を上げることが可能となる。
【００２６】
また、ギフト用の包装紙や店頭で購入時に製品を入れる紙袋等にも接着テープによって剥離可能な隠蔽層を設けることが可能になり、このことによって、購買意欲を向上させることが可能となる。
【００２７】
なお、請求項１記載の発明によっても、小学校低学年向けの雑誌の付録用のくじであったり、応募者全員に景品をプレゼントするタイプのくじであったりというように、抽選情報にそれほどの価値がないくじ等であれば、基板シートに薄く、表面強度の弱い紙を採用することができるのはもちろんである。請求項１記載の発明によって、抽選情報がそれほどの価値を有さないくじ等を作成したならば、一層分の工程が減るため、製造コストを最低に押えることが可能になる。ここで、厚い紙とは、請求項１記載の発明による印刷物を作成した場合に、基板シートの裏面から強い光を当てても抽選情報を不正に読み取ることができない紙であり、例えば、アート紙で言えば、坪量がメートル平方１５０ｇ以上のものが厚い紙に該当する。紙の種類にもよるが、厚さが２μ以上であれば、請求項１記載の発明による印刷物を作成した場合に、基板シートの裏面から強い光を当てても抽選情報を不正に読み取ることができないものと考えられる。また、薄い紙とは、請求項１記載の発明による印刷物を作成した場合に、基板シートの裏面から強い光を当てても抽選情報を不正に読み取れてしまう紙であり、例えば、アート紙で言えば、坪量がメートル平方１５０ｇよりも小さい紙が薄い紙に該当する。
【００２８】
また、基板シートに薄い紙を採用し、接着テープによって剥離可能な隠蔽層を有するカード状やシート状のものを作成してもよい。例えば、ゲームカードを作成する際に、基板シートに薄い紙を採用すると、より携帯しやすくすることが可能となる。
【００２９】
更に、基板シートに薄い紙を採用することができるので、薄い紙を採用した方が厚い紙を採用したときよりも、材料コストを減らすことが可能となるし、資源を節約することも可能となる。また、厚い紙を採用したときよりも、ゴミの量も減らすことができるのは言うまでもない。
【００３０】
また、本願発明の請求項３は、基板シートと、基板シートの上に位置し、抽選情報を有する情報インキ層と、少なくとも前記抽選情報を覆うように基板シート上に設けられたニス層と、前記ニス層の上に位置し、ニス層と剥離可能に設けられたインキ層と、前記インキ層の上に位置し、少なくとも前記抽選情報を隠蔽し、かつ、インキ層と共に剥離可能に設けられた隠蔽層と、を有し、前記ニス層を少なくとも、隠蔽層よりも面積が大きく、かつ、隠蔽層の外周よりも出るように設けた事を特徴とする印刷物である。
【００３１】
よって、本願発明の請求項３によれば、ニス層の上に隠蔽層と共に剥離可能なインキ層を有しているため、基板シートの裏面から強い光を当てて、抽選情報を最外層に影をとして写し出しても、写し出された影による抽選情報の解読を困難にさせる事が可能であり、更に、ニス層を少なくとも、隠蔽層よりも面積が大きく、かつ、隠蔽層の外周よりも出るように設けているため、接着テープによって剥離可能な隠蔽層を施しても、紙剥けを生ずることなく隠蔽層を剥がすことが可能である。
【００３２】
つまり、請求項１に包含される形態である、ニス層を少なくとも、隠蔽層よりも面積が大きく、かつ、隠蔽層の外周よりも出るように設けた場合は、基板シートに表面強度の弱い紙を採用することが可能となるが、ある程度厚みのある紙を採用しなければ、基板シートの裏面から強い光を当てた場合に、隠蔽層に隠蔽してある抽選情報が最外層に影となって写りやすくなり、抽選情報の解読が、基板シートに薄い紙を採用した場合に比べて、容易になってしまうという問題を有している。例えば、小学校低学年向けの雑誌の付録用のくじ等のように隠蔽してある抽選情報を不正に読み取られてもかまわないような場合ではそれほど重要な問題ではないが、例えば、宝くじのように金銭が関係するくじなどにおいては重要な問題である。宝くじのように金銭が関係するくじなどにおいて、基板シートの裏面から強い光を当てることにより、隠蔽してある抽選情報を事前に読み取るという不正行為が可能になってしまったならば、並々でない混乱を招くことになってしまう。したがって、宝くじや豪華景品が当たるくじ等のように、隠蔽してある抽選情報が重大な価値を有するものである場合に、本願請求項１記載の発明によってそれらのくじを作成しようとするならば、基板シートに採用する紙を、ある程度厚みを有しているものにしなければならない。例えば、グラビア印刷で微塗工紙と呼ばれているような、非常に薄く、表面強度の弱い紙を基板シートに採用することは困難である。しかし、厚い紙を基板シートに採用すると、紙が厚いため、折丁に加工することが困難なこと、及び、折丁に加工できても、雑誌１冊あたりの厚みが増して運用コストが上がってしまうこと等の理由により、できあがった印刷物はシート状やカード状となってしまう。これらのシート状やカード状の印刷物を冊子体に綴じ込もうとすると、新たな工程が必要になってしまうため、製造コストを高くする要因となっていた。
【００３３】
請求項３では、ニス層の上に積層されるインキ層によって、この問題を解決することが可能となる。なぜなら、インキ層が、基板シートの裏面から強い光を当てて抽選情報を最外層に影として写し出しても、写し出された影による抽選情報の解読を困難にさせる役割を担うからである。ここで、インキ層とは、文字、図形、記号、若しくはこれらの結合でもよく、又は、ベタ塗りでもよい。また、インキ層に使用する色は、情報インキ層と同色、又は、濃い色が好ましいが、別段これらに限らず、何色でもよい。例えば、隠蔽層に用いられることが多い銀インキをインキ層に用いてもよく、又は、カラーの絵柄としてもよい。また、ニス層の下に位置している情報インキ層と少なくとも一部が重複していればよいので、例えば、インキ層を基板シート一面に設けてもよい。ここで、重複するとは、例えば、インキ層と情報インキ層を印刷方式で設けた場合、それぞれの層を形成する印刷部分が少なくとも一部は重なるということである。なお、インキ層は、基板シートの裏面から強い光を当てて抽選情報を最外層に影として写し出しても、写し出された影による抽選情報の解読を困難にさせるという役割を担うものであるため、たとえ情報インキ層と重複しなくてもこの役割を担うことができれば重複する必要は無い。
【００３４】
たとえば、インキ層を絵柄とした場合、基板シートの裏面から強い光を当てて、抽選情報を最外層である隠蔽層に影として写し出し、写し出された影によって抽選情報を読み取ろうとしても、インキ層の絵柄も隠蔽層に影を作るため、抽選情報の影のみを認識することをより困難にすることが可能となる。
【００３５】
また、インキ層をベタとした場合、基板シートの裏面から強い光を当てて、抽選情報を最外層である隠蔽層に影として写し出し、写し出された影によって抽選情報を読み取ろうとしても、インキ層によって光がより遮断されるので、抽選情報の影を最外層である隠蔽層に写し出すことをより困難にすることが可能となる。
【００３６】
また、インキ層を「粘着テープによって剥がしてください」や、「ここを剥がしてください」等の注意書きとした場合は、使用者の注意を促すことができ、誤った使用方法を防ぐことが可能となる。
【００３７】
更に、インキ層を文字、図形、記号、もしくはこれらの結合とした場合は、和紙のすかし模様のように設けた絵柄が見えるようになるので、美観を向上させることが可能となる。
【００３８】
ここで、インキ層を文字、記号、図形もしくはこれらの結合とする場合は、白抜きにすれば、インキ層によっても情報インキ層を隠蔽するという作用を得ることができるので望ましい。しかし、これに限定するわけではない。
【００３９】
更に、インキ層が偽装の抽選情報を有することによって、基板シートの裏面から強い光を当てて、抽選情報を不正に読み取ろうとしても、その解読をより困難にすることができる。ここで、偽装の抽選情報とは、情報インキ層が有する抽選情報以外の抽選情報であり、例えば、情報インキ層が有する抽選情報とは反対の意味を表す情報等である。例えば、情報インキ層が当選に該当する文字である場合、インキ層を、情報インキ層と重複するように、落選に該当する文字にすれば、基板シートの裏面から強い光を当てて抽選情報を最外層に影として写し出しても、写し出される影は当選に該当する文字と落選に該当する文字が重なったものになる。文字と文字が重なっているため、どのようなものが書かれているのか判断することは困難であるし、たとえ当選を意味する文字と落選を意味する文字が重なったものと理解できても、情報インキ層が有しているのが抽選情報なのか、偽装の抽選情報なのを判断することは非常に困難である。
【００４０】
なお、インキ層はニス層と剥離可能に設けられており、かつ、隠蔽層はニス層と共に剥離するように設けられているため、接着テープを用いて隠蔽層を剥がそうとした場合は、インキ層とニス層の間で剥離し、インキ層は隠蔽層と共に接着テープによって剥がれるようになる。よって、隠蔽層を剥がした後は抽選情報のみを目視することが可能となる。
【００４１】
更に、ニス層は、少なくとも隠蔽層よりも面積が大きく、かつ、隠蔽層の外周よりも出るように設けられているため、紙の表面を保護する役割を果たし、接着テープによる紙剥けを防ぐ役割を担っている。
【００４２】
従来のように、ニス層と隠蔽層が同じ面積で重複するように重なっている場合は、隠蔽層を剥がすために隠蔽層に接着テープを貼着したときに、接着テープが紙にも貼着してしまい、紙剥けを発生させ、その結果、情報インキ層も紙ごと剥いてしまう事態が発生する。しかし、本願発明の請求項１においては、ニス層を隠蔽層よりも広げているため、接着テープは、紙ではなくニス層に貼着することとなり、紙剥けを発生させず、隠蔽層のみを剥がすことが可能となる。
【００４３】
なお、このニス層の表面は摩擦が少ないため接着テープののり部分との接着が弱く、更に、ニス層を形成しているインキが紙にしみこんでいるため紙と強力に接着されているので、接着テープによってニス層が剥がされてしまうということはない。
【００４４】
よって、本願発明の請求項３によれば、基板シートに薄く、表面強度の弱い紙を採用して、接着テープによって剥離可能な隠蔽層を施しても、紙剥けを生ずることなく隠蔽層を剥がすことができ、かつ、基板シートの裏面から強い光を当てて抽選情報を最外層に影として写し出しても抽選情報の解読を困難にすることができる印刷物を提供することが可能になる。
【００４５】
また、基板シートに薄い紙を採用することができるので、本願発明によるくじなどを折丁の一部とすることも可能となる。つまり、紙の任意の場所に本願発明によってくじなどを設けた後は、通常の工程で折丁に加工することができるようになる。このことによって、くじ部分を有する冊子体を通常の製本工程で製造することが可能となり、厚い紙を採用して冊子体を製造する場合よりも製造コストを下げることが可能となる。したがって、折丁とすることができない厚い紙を採用した場合のように、新たな工程を設ける必要が無く、製造コストを下げることが可能になる。
【００４６】
更に、基板シートに薄い紙を採用すると、各層を施した後に基板シートを簡単に折ることができるため、ちらしのような折り畳み状のものにも接着テープによって剥離可能な隠蔽層を設ける事が可能となる。したがって、例えば、新聞の折り込みちらしやパンフレットなどに接着テープによって剥離可能な隠蔽層を設けることが可能になり、このことによって広告効果を上げることが可能となる。
【００４７】
また、ギフト用の包装紙や店頭で購入時に製品を入れる紙袋等にも接着テープによって剥離可能な隠蔽層を設けることによって、購買意欲を向上させることが可能となる。
【００４８】
なお、請求項１記載の発明によっても、小学校低学年向けの雑誌の付録用のくじであったり、応募者全員に景品をプレゼントするタイプのくじであったりというように、抽選情報にそれほどの価値がないくじ等であれば、基板シートに薄く、表面強度の弱い紙を採用することができるのはもちろんである。請求項１記載の発明によって、抽選情報がそれほどの価値を有さないくじ等を作成したならば、一層分の工程が減るため、製造コストを最低に押えることが可能になる。ここで、厚い紙とは、請求項１記載の発明による印刷物を作成した場合に、基板シートの裏面から強い光を当てても抽選情報を不正に読み取ることができない紙であり、例えば、アート紙で言えば、坪量がメートル平方１５０ｇ以上のものが厚い紙に該当する。紙の種類にもよるが、厚さが２μ以上であれば、請求項１記載の発明による印刷物を作成した場合に、基板シートの裏面から強い光を当てても抽選情報を不正に読み取ることができないものと考えられる。また、薄い紙とは、請求項１記載の発明による印刷物を作成した場合に、基板シートの裏面から強い光を当てても抽選情報を不正に読み取れてしまう紙であり、例えば、アート紙で言えば、坪量がメートル平方１５０ｇよりも小さい紙が薄い紙に該当する。
【００４９】
また、基板シートに薄い紙を採用し、接着テープによって剥離可能な隠蔽層を有するカード状やシート状のものを作成してもよい。例えば、ゲームカードを作成する際に、基板シートに薄い紙を採用すると、より携帯しやすくすることが可能となる。
【００５０】
更に、基板シートに薄い紙を採用することができるので、薄い紙を採用した方が厚い紙を採用したときよりも、材料コストを減らすことが可能となるし、資源を節約することも可能となる。また、厚い紙を採用したときよりも、ゴミの量も減らすことができるのは言うまでもない。
【００５１】
また、本願発明の請求項４は基板シートと、基板シートの上に位置し抽選情報を有する情報インキ層と、少なくとも前記抽選情報を覆うように基板シート上に設けられたニス層と、前記ニス層の上に位置し、少なくとも前記抽選情報を隠蔽し、かつ、ニス層と剥離可能に設けられた隠蔽層と、前記隠蔽層の上に位置し、隠蔽層と共に剥離可能に設けられたインキ層と、を有し、前記ニス層を少なくとも、隠蔽層よりも面積が大きく、かつ、隠蔽層の外周よりも出るように設けた事を特徴とする印刷物である。
【００５２】
よって、本願発明の請求項４によれば、隠蔽層の上に、隠蔽層と共に剥離可能なインキ層を有しているため、基板シートの裏面から強い光を当てて、抽選情報を最外層に影として写し出しても、写し出された影による抽選情報の解読を困難にさせる事が可能であり、更に、ニス層を少なくとも、隠蔽層よりも面積が大きく、かつ、隠蔽層の外周よりも出るように設けているため、接着テープによって剥離可能な隠蔽層を施しても、紙剥けを生ずることなく隠蔽層を剥がすことが可能である。
【００５３】
つまり、請求項１に包含される形態である、ニス層を少なくとも、隠蔽層よりも面積が大きく、かつ、隠蔽層の外周よりも出るように設けた場合は、基板シートに表面強度の弱い紙を採用することが可能となるが、ある程度厚みのある紙を採用しなければ、基板シートの裏面から強い光を当てた場合に、隠蔽層に隠蔽してある抽選情報が最外層に影となって写りやすくなり、抽選情報の解読が、基板シートに薄い紙を採用した場合に比べて、容易になってしまうという問題を有している。例えば、小学校低学年向けの雑誌の付録用のくじ等のように隠蔽してある抽選情報を不正に読み取られてもかまわないような場合ではそれほど重要な問題ではないが、例えば、宝くじのように金銭が関係するくじなどにおいては重要な問題である。宝くじのように金銭が関係するくじなどにおいて、基板シートの裏面から強い光を当てることにより、隠蔽してある抽選情報を事前に読み取るという不正行為が可能になってしまったならば、並々でない混乱を招くことになってしまう。したがって、宝くじや豪華景品が当たるくじ等のように、隠蔽してある抽選情報が重大な価値を有するものである場合に、本願請求項１記載の発明によってそれらのくじを作成しようとするならば、基板シートに採用する紙を、ある程度厚みを有しているものにしなければならない。例えば、グラビア印刷で微塗工紙と呼ばれているような、非常に薄く、表面強度の弱い紙を基板シートに採用することは困難である。しかし、厚い紙を基板シートに採用すると、紙が厚いため、折丁に加工することが困難なこと、及び、折丁に加工できても、雑誌１冊あたりの厚みが増して運用コストが上がってしまうこと等の理由により、できあがった印刷物はシート状やカード状となってしまう。これらのシート状やカード状の印刷物を冊子体に綴じ込もうとすると、新たな工程が必要になってしまうため、製造コストを高くする要因となっていた。
【００５４】
請求項４では、隠蔽層の上に隠蔽層と剥離可能に積層されるインキ層によって、この問題を解決することが可能となる。なぜなら、インキ層が、基板シートの裏面から強い光を当てて抽選情報を最外層に影として写し出しても、写し出された影によって抽選情報の解読を困難にさせる役割を担うからである。ここで、インキ層は、文字、図形、記号、若しくはこれらの結合でもよく、又は、ベタ塗りでもよい。インキ層に使用する色は、情報インキ層と同色、又は、濃い色が好ましいが、別段これらに限らず、何色でもよい。例えば、隠蔽層に用いられることが多い銀インキをインキ層に用いてもよく、又は、カラーの絵柄としてもよい。また、ニス層の下に位置している情報インキ層と少なくとも一部が重複していればよいので、例えば、インキ層を基板シート一面に設けてもよい。ここで、重複するとは、例えば、インキ層と情報インキ層を印刷方式で設けた場合、それぞれの層を形成する印刷部分が少なくとも一部は重なるということである。なお、インキ層は、基板シートの裏面から強い光を当てて抽選情報を最外層に影として写し出しても、写し出された影による抽選情報の解読を困難にさせるという役割を担うものであるため、たとえ情報インキ層と重複しなくてもこの役割を担うことができれば重複する必要は無い。
【００５５】
たとえば、インキ層を絵柄とした場合、基板シートの裏面から強い光を当てて、抽選情報を最外層であるインキ層に影として写し出し、写し出された影によって抽選情報を解読しようとしても、インキ層の絵柄によって、抽選情報の影のみを認識することをより困難にすることが可能となる。
【００５６】
また、インキ層を墨のベタとした場合、基板シートの裏側から強い光を当てて、抽選情報を最外層であるインキ層に影として写し出し、写し出された影によって抽選情報を解読しようとしても、インキ層によって影を認識することをより困難にすることが可能となる。
【００５７】
また、インキ層を「接着テープによって剥がしてください」や、「ここを剥がしてください」等の注意書きにした場合は、使用者の注意を促すことができ、誤った使用方法を防ぐことが可能となる。
【００５８】
更に、インキ層を文字、図形、記号、もしくはこれらの結合とした場合は、これらの文字等の間から、隠蔽層が見え、美観を向上することが可能となる。
【００５９】
たとえば、隠蔽層を銀インキで設け、インキ層を星の形を白抜きした絵柄とすると、白抜きした星の部分から隠蔽層の銀インキが見えるようになり、美観を向上させると共に隠蔽層をより有効に活用することが可能となる。
【００６０】
ここで、インキ層を文字、記号、図形もしくはこれらの結合とする場合は、白抜きにすれば、インキ層によっても情報インキ層を隠蔽するという作用を得ることができるので望ましい。しかし、これに限定するわけではない。
【００６１】
更に、ニス層は、少なくとも隠蔽層よりも面積が大きく、かつ、隠蔽層の外周よりも出るように設けられているため、紙の表面を保護する役割を果たし、接着テープによる紙剥けを防ぐ役割を担っている。
【００６２】
従来のように、ニス層と隠蔽層が同じ面積で重複するように重なっている場合は、隠蔽層を剥がすために隠蔽層に接着テープを貼着したときに、接着テープが紙にも貼着してしまい、紙剥けを発生させ、その結果、情報インキ層も紙ごと剥いてしまう事態が発生する。しかし、本願発明の請求項１においては、ニス層を隠蔽層よりも広げているため、接着テープは、紙ではなくニス層に貼着することとなり、紙剥けを発生させず、隠蔽層のみを剥がすことが可能となる。
【００６３】
なお、このニス層の表面は摩擦が少ないため接着テープののり部分との接着が弱く、更に、ニス層を形成しているインキが紙にしみこんでいるため紙と強力に接着されているので、接着テープによってニス層が剥がされてしまうということはない。
【００６４】
よって、本願発明の請求項４によれば、基板シートに薄く、表面強度の弱い紙を採用して、接着テープによって剥離可能な隠蔽層を施しても、紙剥けを生ずることなく隠蔽層を剥がすことができ、かつ、基板シートの裏面から強い光を当てて抽選情報を最外層に影として写し出しても抽選情報の解読を困難にすることができる印刷物を提供することが可能になる。
【００６５】
また、基板シートに薄い紙を採用することができるので、本願発明によるくじなどを折丁の一部とすることも可能となる。つまり、紙の任意の場所に本願発明によってくじなどを設けた後は、通常の工程で折丁に加工することができるようになる。このことによって、くじ部分を有する冊子体を通常の製本工程で製造することが可能となり、厚い紙を採用して冊子体を製造する場合よりも製造コストを下げることが可能となる。したがって、折丁とすることができない厚い紙を採用した場合のように、新たな工程を設ける必要が無く、製造コストを下げることが可能になる。
【００６６】
更に、基板シートに薄い紙を採用すると、各層を施した後に基板シートを簡単に折ることができるため、ちらしのような折り畳み状のものにも接着テープによって剥離可能な隠蔽層を設ける事が可能となる。したがって、例えば、新聞の折り込みちらしやパンフレットなどに接着テープによって剥離可能な隠蔽層を設けることが可能になり、このことによって広告効果を上げることが可能となる。
【００６７】
また、ギフト用の包装紙や店頭で購入時に製品を入れる紙袋等にも接着テープによって剥離可能な隠蔽層を設けることによって、購買意欲を向上させることが可能となる。
【００６８】
なお、請求項１記載の発明によっても、小学校低学年向けの雑誌の付録用のくじであったり、応募者全員に景品をプレゼントするタイプのくじであったりというように、抽選情報にそれほどの価値がないくじ等であれば、基板シートに薄く、表面強度の弱い紙を採用することができるのはもちろんである。請求項１記載の発明によって、抽選情報がそれほどの価値を有さないくじ等を作成したならば、一層分の工程が減るため、製造コストを最低に押えることが可能になる。ここで、厚い紙とは、請求項１記載の発明による印刷物を作成した場合に、基板シートの裏面から強い光を当てても抽選情報を不正に読み取ることができない紙であり、例えば、アート紙で言えば、坪量がメートル平方１５０ｇ以上のものが厚い紙に該当する。紙の種類にもよるが、厚さが２μ以上であれば、請求項１記載の発明による印刷物を作成した場合に、基板シートの裏面から強い光を当てても抽選情報を不正に読み取ることができないものと考えられる。また、薄い紙とは、請求項１記載の発明による印刷物を作成した場合に、基板シートの裏面から強い光を当てても抽選情報を不正に読み取れてしまう紙であり、例えば、アート紙で言えば、坪量がメートル平方１５０ｇよりも小さい紙が薄い紙に該当する。
【００６９】
また、基板シートに薄い紙を採用し、接着テープによって剥離可能な隠蔽層を有するカード状やシート状のものを作成してもよい。例えば、ゲームカードを作成する際に、基板シートに薄い紙を採用すると、より携帯しやすくすることが可能となる。
【００７０】
更に、基板シートに薄い紙を採用することができるので、薄い紙を採用した方が厚い紙を採用したときよりも、材料コストを減らすことが可能となるし、資源を節約することも可能となる。また、厚い紙を採用したときよりも、ゴミの量も減らすことができるのは言うまでもない。
【００７１】
また、本願発明の請求項５は、ニス層を基板シートの略全面に設けたことを特徴とする請求項１乃至請求項４いずれか記載の印刷物である。
【００７２】
すなわち、本願発明の請求項５によれば、ニス層を基板シートの略全面にもうけているため、ニス層が紙の表面を保護する役割を果たし、接着テープによる紙剥けを防ぐ役割を担う。
【００７３】
つまり、ニス層を隠蔽層よりも面積が大きく、かつ、隠蔽層の外周よりも出るように設けた場合において、隠蔽層を剥がすための接着テープがニス層には貼着せずに、ニス層を越えて紙に貼着してしまうと、接着テープを引き剥がす際に紙剥けを起こし、抽選情報も紙ごと剥けてしまい、抽選情報も紙ごと剥けてしまうため、外観を損ねるだけでなく、抽選情報を読み取ることが困難になってしまう。このように隠蔽層を剥離したときに抽選情報が読み取れなくなってしまうと、くじなどとしての機能を有さなくなってしまう。接着テープには様々な大きさ、幅があるものを使用することができるため、上記のように、接着テープがニス層を越えて紙に貼着してしまうことは十分に考えられる。本願発明の請求項５記載の発明では、ニス層を基板シートの略全面に設けているため、どこに接着テープを貼着しても、接着テープが紙に貼着する事はなく、紙剥けを防止することが可能となる。
【００７４】
ここで、略全面とは、全面が好ましいが、これに限定するわけではなく、隠蔽層を剥がすために、隠蔽層に接着テープを貼着した際に、接着テープが紙に貼着する事を防ぐことが出来る大きさであればどのような大きさでも良い。
【００７５】
また、本願発明の請求項６は情報インキ層を網点面積率が略３０％の網点で形成したことを特徴とする請求項１乃至請求項５の何れか一つに記載の印刷物である。
【００７６】
すなわち、本願発明の請求項６によれば、抽選情報を網点面積率が略３０％以下の網点で設けているため、基板シートの裏面から強い光を当てても、抽選情報を影として写すことを困難にすることができる。
【００７７】
ここで、略３０％以下とは、３０％以下で有ることが好ましいが、印刷時のインクのつき具合などの誤差も含めて、略３０％以下ということである。
【００７８】
また、本願発明の請求項７は請求項１乃至請求項６の何れか一つに記載の印刷物を有する冊子体である。
【００７９】
【発明の実施の形態】
以下、本願発明の実施の形態を図面に沿って説明する。図１（Ａ）は、本願発明の印刷物を示す上面図であり、図１（Ｂ）は図１（Ａ）の点線ａ−ａでの断面図である。図１において、１は印刷物である抽選カード、２は基板シート、３は「あたり」または「はずれ」という情報を有するくじ部分、４は情報インキ層、５はニス層、６は隠蔽層、７はニス層と隠蔽層との半径の差、８は絵柄部分である見だし部分、９は絵柄部分である説明書き部分である。
【００８０】
図１において、抽選カード１は、カード状であって、基板シート２上にくじ部分３と絵柄部分である見だし部分８と絵柄部分である説明書き部分９とが設けられて形成されている。くじ部分３は情報インキ層４、ニス層５、隠蔽層６から構成されており、「あたり」又は「はずれ」という抽選情報を有しているものである。本実施の形態ではくじ部分３を、基板シート２を上下に２等分した場合の下半分の範囲内に、各々のくじ部分３とくじ部分３の左右の間隔が均等で、かつ、上下がそろうように、３個ずつ２列、合計６個設けている。また、基板シート２の両端と地側からくじ部分３の中心までの寸法は、基板シート２の両端と地側からくじ部分３がはみ出ることがないように、各々のくじ部分３の中心からくじ部分３の末端まで寸法の最大値と同じ、又は、それよりも大きくなるようにそれぞれ設定されている。
【００８１】
くじ部分３を構成する情報インキ層４は、「あたり」、若しくは、「はずれ」を形成している層である。また、ニス層５は情報インキ層４と隠蔽層６の間に位置し、情報インキ層４を覆っている層であり、また、隠蔽層６はニス層５の上に位置し、情報インキ層４を覆っている層である。ニス層５と隠蔽層６は共に円の形をしており、それぞれの中心はくじ部分３の中心と重なるように設けられている。更に、ニス層５の面積は隠蔽層６よりも大きく、かつ、ニス層５は隠蔽層６から均等に出るように設けられている。ニス層５が隠蔽層６よりも出た部分によって、剥がす際に接着テープが基板シート２に貼着されることを防いでいる。このニス層５が隠蔽層６よりも出た部分の寸法は、隠蔽層６の大きさによって、又は、使用される接着テープの大きさ（長さ、幅）によって値が変わってくる。仮に、隠蔽層６を剥離するために使用する接着テープを市販されているテープなどのように１枚の長方形のテープをロール状に巻いたものを適切な大きさに切ったものとして、その幅をｘとする。また、隠蔽層６の直径をｙ、ニス層５の直径をｚとし、隠蔽層６を剥離する際に接着テープの端を隠蔽層６の弧に合わせて覆った場合を考える。ここで、接着テープの長さは、手で持つ部分もあるため問わないが、隠蔽層６に貼着する部分の長さは隠蔽層６の直径とする。隠蔽層６の直径（ｘ）が接着テープの幅（ｙ）よりも大きい場合（すなわちｘ＞ｙの場合）には、数１の長さの接着テープが隠蔽層６の外周よりも出てしまうため、ニス層５は、少なくとも直径を数２にして隠蔽層６よりも面積を大きくし、かつ、数１の長さが隠蔽層６の外周よりも出るように設ける必要がある。
【００８２】
【数１】
2004114391.tif 000003
【００８３】
【数２】
2004114391.tif 000004
【００８４】
また、隠蔽層６の直径（ｘ）が接着テープの幅（ｙ）と同じ場合（すなわちｘ＝ｙの場合）には、数３の長さの接着テープが隠蔽層の外周よりも出てしまうため、ニス層５は、少なくとも直径を数４にして隠蔽層６よりも面積を大きくし、かつ、数１の長さが隠蔽層６の外周よりも出るように設ける必要がある。
【００８５】
【数３】
2004114391.tif 000005
【００８６】
【数４】
2004114391.tif 000006
【００８７】
また、隠蔽層６の直径（ｘ）が接着テープの幅（ｙ）よりも小さい場合（すなわちｘ＜ｙの場合）には、数５の長さの接着テープが隠蔽層６の外周よりも出てしまうため、ニス層５は、少なくとも直径を式６にして隠蔽層６よりも面積を大きくし、かつ、数１の長さが隠蔽層６の外周よりも出るように設ける必要がある。
【００８８】
【数５】
2004114391.tif 000007
【００８９】
【数６】
2004114391.tif 000008
【００９０】
これらはニス層５が隠蔽層６よりも出る最小の寸法であり、この寸法で隠蔽層６よりも出るようにニス層５を設けるとニス層５の原材料を最小にすることができ、製造コストを抑えることができる。しかし、これに限定するものではない。また、本実施の形態ではニス層５と隠蔽層６を共に円としているが、これに限定する必要は無く、隠蔽層６を剥がす際に接着テープが基板シート２に貼着することを防ぐことができれば、どのような形にしてもよい。
【００９１】
また、くじ部分は、６個のうち１つだけが「あたり」であり、残りは「はずれ」になるように設定されている。「あたり」という情報を有しているあたりくじ部分でも「はずれ」という情報を有しているはずれくじ部分でも外観は同じである。よって、通常の状態では、どのくじ部分が「あたり」で、どのくじ部分が「はずれ」であるのかを判断することはできない。抽選カードを使用する者は、６つのくじ部分の中から一つを選択して、接着テープによって選択したくじ部分の隠蔽層を剥がして、初めて、自分の選択したくじ部分が「あたり」なのか「はずれ」なのかを知ることができる。本実施の形態では、抽選情報を「あたり」なら『当選』、「はずれ」なら『落選』という情報を提供するものとしたがこれに限定する必要はない。抽選情報は『当選』、『落選』という情報以外でもよく、例えば、ビンゴゲームの番号でもよいし、更には、児童の学習用の『解答』に該当する情報を提供するものなどでもよい。
【００９２】
抽選カード１を製造するには、まず基材シート２上に、情報インキ層と重複しない位置に絵柄部分である見だし部８と絵柄部分である注意書き部９をグラビア印刷方式によって塗布し、次に、基板シート上に情報インキ層をグラビア印刷方式によって塗布し、次に、情報インキ層を覆うように、かつ、まだ何も印刷されていない基板シート上にもかかるようにニス層をグラビア印刷方式で塗布し、次に、隠蔽層をグラビア印刷方式で塗布している。
【００９３】
各層の形成方法について更に詳しく説明する。情報インキ層は、ロジン系樹脂のインキを用いて設けられている。本実施の形態では、ロジン系樹脂のインキを用いたが別段これに限定する必要は無く、通常のグラビア印刷で用いられるインキを使用することができる。また、その網点面積率が略３０％になるように設けられている。情報インキ層の網点面積率が略３０％以下になるように設けることによって、基板シートの裏面から強い光を当てて抽選情報を不正に読み取ることを防ぐ事ができる。すなわち、出願人の実験によれば、網点面積率を１０％にして情報インキ層を設けた場合は、裏面から強い光を当てても隠蔽層に抽選情報が影として写らないが、隠蔽層を剥がしたときに、抽選情報が薄いため、凝視しなければ抽選情報を読み取ることができないという状態であり、網点面積率を２０％、３０％にして設けた場合では、裏面から強い光を当てても隠蔽層に抽選情報が影として写らなく、隠蔽層を剥がしたときも、抽選情報を容易に読み取れることができ好ましい状態であり、網点面積率を４０％にして設けた場合では、裏面から強い光を当てると抽選情報が影として写ってしまう、という結果を得た。したがって、更に好ましくは、網点面積率を２０％〜３０％にして設けるのが好ましい。
【００９４】
ニス層は塩化ゴム系樹脂のニスインキを用いて設けられており、隠蔽層はニトロセルロース系樹脂の銀インキを用いている。ニス層と隠蔽層は、接着テープによって隠蔽層を剥がす際に、ニス層と隠蔽層の間で剥がれるようにするために、夫々の層を形成する樹脂が、相反性を有する樹脂を選択する必要がある。本実施の形態では、ニス層に用いる塩化ゴム系樹脂と、隠蔽層に用いるニトロセルロース系樹脂には相反性があり、隠蔽層はニス層に対して低密着性、低接着性、を示しているので、隠蔽層の上に接着テープを貼着し引き剥がすことで、隠蔽層とニス層の間で剥離して、隠蔽層のみを剥がすことができる。ニス層には、塩化ゴム系樹脂の他に、塩化ビニル一酢酸ビニル共重合体樹脂等を使用することができる。隠蔽層には、ニトロセルロース系樹脂の他に、ポリアミド系樹脂、アクリル系樹脂等を使用することができる。本実施の形態では、ニス層は透明であるが、情報インキ層が目視できれば、半透明でもよいし、色材を混入して着色してもよい。ただし、着色する際には、情報インキ層が目視できるようにするのはもちろんのこと、隠蔽層と十分な相反性を有するように注意が必要である。本実施の形態では、隠蔽層はニトロセルロース系樹脂の銀インキであるが、別段これに限定する必要は無く、情報インキ層を隠蔽することができれば藍インキや墨インキを採用してもよい。銀インキ以外の色を採用する際は、情報インキ層よりも濃度が濃くなるように設けた方が、情報インキ層をより隠蔽することができるので好ましい。
【００９５】
なお、くじ部分以外に、情報インキ層と貼着しなければ絵柄部分も設けることも可能である。本実施の形態ではくじ部分以外には絵柄部分である見だし部８と絵柄部分である注意書き部９しか設けていないが、情報インキ層と重複しなければこれら以外にも絵柄部分として文字、記号、図形若しくはこれらの結合を設けてもよい。本実施の形態では、絵柄部分を設けてから、くじ部分を設けるという順序を採用しているが、くじ部分を設けてから絵柄部分を設けるという順序を採用することも可能である。本実施の形態において、まず絵柄部分を設けた後、くじ部分を順に積層してゆくという方法を採用している理由は、隠蔽層に傷がつくことを防ぐためである。くじ部分を設けてから絵柄部分を設けるという後述した方法を採用することも可能であるが、後述した方法を採用すると、製造過程において隠蔽層を塗布してから、絵柄部分を塗布するために再び印刷機にかけることになり、その結果、すでに設けた隠蔽層の上をローラーが通ることになるので隠蔽層に傷がついてしまうという可能性が生じてくる。隠蔽層に傷がついてしまうと、美観を損ねるだけでなく、傷の隙間から隠蔽してある抽選情報が目視可能になりかねない。本願発明の隠蔽層は接着テープを用いなければ剥がすことができず、隠蔽層はとても強固なものであるので、後者の方法を採用したことにより、隠蔽層に傷がついてしまうことは発生し難いがあまり好ましい方法ではない。しかし、現実的には選択可能な生産方法であり、本願発明においても一応採用することは可能である。別段、これらの順序に限定する必要はなく、例えば、情報インキ層を設ける工程の後に絵柄部分を設ける工程にし、その後にニス層を設ける工程にしても良く、順序は自由に選択可能である。
【００９６】
本実施の形態では、印刷手法としてはオフセット印刷を採用しているがこれに限定するものではなく、塗布可能であれば他の手段でもよい。例えば、オフセット、シルクスクリーン等他の印刷方式を採用してもよく、印刷方法以外の方法としてローラー部分塗布、刷毛塗り等を採用してもよい。また、本実施の形態では、全ての層をグラビア印刷方式で形成しているが、これに限定する必要は無い。各層を設けるために採用する手段は、塗布可能であればどのような方法を採用してもよい。例えば、隠蔽層を設けるためにシルクスクリーン印刷方式を採用すれば、隠蔽層を厚くすることができるので、隠蔽作用を向上させることができるし、情報インキ層を設けるためにグラビア印刷方式を採用すれば隠蔽層にできる情報インキ層の凹凸を目立たなくすることが可能となる。しかし、それぞれの層を形成するために様々な印刷方法を混用すると工程が複雑になり、製造コストが上がってしまうので、注意が必要である。なお、本願発明では、本実施の形態のように全ての層をある一つの印刷方式で一貫して形成することが可能であるので、製造コストを最小限に抑えることができる。グラビア印刷方式を採用して一貫して形成する場合は前述した通りである。オフセット印刷方式を採用して一貫して形成する場合について説明する。オフセット印刷方式の場合は、ニス層に通常のオフセット印刷で使用するニスを使用し、ニス層以外の層（情報インキ層、隠蔽層）に紫外線硬化型インキを使用することによって、ニス層と隠蔽層の間に相反性を持たせることが可能となる。オフセット印刷方式を採用して、一貫して作成する方法は、本願出願人より、特許番号第２７１１７７２号において開示されている。スクリーン印刷方式を採用した場合はグラビア印刷方式を採用した場合と同様であるため説明を割愛する。
【００９７】
基板シートの材料としては、例えば、一般的にアート紙、コート紙、上質紙、中質紙、アートポスト紙、マットコート紙、軽量コート紙、純白ロール紙、微塗工紙として微塗工上質紙、微塗工印印刷紙１、微塗工印刷紙２、微塗工印刷紙３、版紙としてコートボール、ノーコートボール、アイボリー、両面カード等の印刷に用いられる紙でもよいし、包装用のクラフト紙袋に使用されるクラフト紙等、いずれの紙を基板シートに採用することができる。また、夫々の坪量は、いずれのものを採用することもできる。
【００９８】
次に図２を参照してニス層の様式の一例について説明する。なお、図２において、隠蔽層２４を透明にして隠蔽している情報インキ層１７を見える状態にしているが、これは図を見やすくするためであり、実際には、情報インキ層１７は隠蔽層２４によって隠蔽されているので通常の状態では見ることはできない。
【００９９】
図２は別の実施の形態を示すくじ部分の上面図である。図２において１６はくじ部分、１７は情報インキ層、１８はニス層、１９はニス層１８のうち隠蔽層２４と重複している重複部分、２０はニス層１８のうち隠蔽層２４の外周の右側から出ているニス層右突出部分、２１はニス層１８のうち隠蔽層２４の外周の左側から出ているニス層左突出部分、２２はニス層の短軸、２３はニス層の長軸、２４は隠蔽層、２５は隠蔽層２４のうちニス層１８と重複している重複部分、２６は隠蔽層２４のうちニス層１８の外周の上側から出ている隠蔽層上突出部分、２７は隠蔽層２４のうちニス層１８の外周の下側から出ている隠蔽層下突出部分、２８は隠蔽層の直径、２９は隠蔽層２４の中心、３０は隠蔽層接線、３１は隠蔽層２４の外周とニス層１８の長軸とが交わる点である。
【０１００】
図２において、くじ部分１６は図示しない基板シート上に設けられており、情報インキ層１７とニス層１８と隠蔽層２４よりなる。ニス層１８は楕円の形をしており、隠蔽層２４と重複する重複部分１９と、この重複部分１９の左右に連接するニス層右突出部分２０とニス層左突出部分２１を有している。隠蔽層２４は円の形をしており、ニス層１８と重複する重複部分２５と、この重複部分２５の上下に連接する隠蔽層上突出部分２６と隠蔽層下突出部分２７を有している。ニス層１８は、長軸２３が隠蔽層の直径２８よりも長く、短軸２２が隠蔽層の直径２８よりも短く、かつ、その面積が隠蔽層２４よりも大きくなるように設定されている。また、ニス層１８の短軸２２と長軸２３の交点が隠蔽層２４の中心２９に重なるように設けられている。すなわち、図２は、ニス層１８を、隠蔽層２４よりも面積が大きく、かつ、隠蔽層２４の外周の一部から出るように設け、更に、隠蔽層２４を、ニス層１８よりも面積が小さく、かつ、ニス層１８の外周の一部から出るように設けた事を特徴とする印刷物のくじ部分を示す上面図である。更に詳しく説明すれば、ニス層１８は、隠蔽層２４よりも面積が大きく、かつ、隠蔽層２４の外周の左側と右側から出るように設けられている。また、隠蔽層２４は、ニス層１８の上に位置し、ニス層１８よりも面積が小さく、かつ、ニス層１８の外周の上側と下側から出るように設けられている。ここで、ニス層１８のうち隠蔽層２４と重複する重複部分１９と、隠蔽層２４のうちニス層１８と重複する重複部分２５は上下に重なっており、情報インキ層１７は、この重複部分の範囲に納まるように、図示しない基板シート上に設けられている。
【０１０１】
図２を更に詳しく説明する。図２において、ニス層１８と隠蔽層２４の一部分はそれぞれが上下に重複していない。隠蔽層２４の外周の右側から出ているニス層右突出部分２０と、隠蔽層２４の外周の左側から出ているニス層左突出部分２１の上には隠蔽層２４が積層されていない。また、隠蔽層２４のうち、ニス層１８の外周の上側から出ている隠蔽層上突出部分２６と、ニス層１８の下側から出ている隠蔽層下突出部分２７は、それぞれの部分の下にニス層１８が存在せず、基板シートの上に直接積層されている。隠蔽層接線３０は、隠蔽層２４の外周とニス層１８の長軸とが交わる点３１において隠蔽層２４と接するように引いた接線がニス層１８の外周と交わる点で切ったものである。隠蔽層２４のうちニス層１８と重複する部分２５を剥離するために用いる接着テープは、その幅がこの隠蔽層接線３０の長さ以下のものでなければ、重複部分２５を剥がす際に基板シートに接着テープが貼着してしまうので使用することができない。家庭用の接着テープの幅は１２ｍｍもしくは１５ｍｍが多く見うけられる。したがって、隠蔽層接線３０の長さが１２ｍｍ以上になるように、更に、隠蔽層２４よりも面積が大きく、かつ、隠蔽層２４の外周よりも出るようにニス層１８の短軸２２と長軸２３を設定することが好ましい。また、ニス層１８と隠蔽層２４との重複部分２５を０．３５ｍｍ以上の大きさの文字が２文字以上設けることができる大きさに設定することが望ましい。ニス層１８と隠蔽層２４との重複部分２５を剥がす際には、ニス層右突出部分２０又はニス層左突出部分２１のどちらか好きな方に、接着テープの先端を隠蔽層接線３０の近辺に合わせて貼り、ニス層１８と隠蔽層２４の重複部分を覆って、反対側のニス層突出部分にある隠蔽層接線３０の近辺まで貼った後、引き剥がすことで、紙剥けを生じることなくニス層１８と隠蔽層４との重複部分２５を剥がすことができる。
【０１０２】
ニス層１８と隠蔽層２４との重複部分２５を剥がす際に、隠蔽層上突出部分２６と隠蔽層下突出部分２７は、その下にニス層１８が存在せずに基板シート上に直接積層されている。したがって、隠蔽層上突出部分２６と隠蔽層下突出部分２７は、隠蔽層２４を形成しているインキが基板シートに染み込んでいるため、剥がすことができない。もし、隠蔽層上突出部分２６と隠蔽層下突出部分２７を無理に剥がそうとするならば、紙ごと剥くことになってしまう。このことによって一度剥がしたものを元通りにすることを困難にすることができる。すなわち、１枚のくじカードにいくつものくじ部分があり、接着テープによってそのうちの１つのくじ部分を選択して、隠蔽層を剥がしたとき、それが、「はずれ」だった場合、何らかの手段を用いて剥がした隠蔽層を元に戻し、あたかも「あたり」の部分のみを剥がしたかのように見せかけるという不正を防止することが可能となる。ここで元に戻すための手段としては、剥がした隠蔽層をもう一度貼りつける方法や、隠蔽層を全て剥がし、もう一度隠蔽層を印刷方法やその他の手段によって新たに隠蔽層を設ける方法など様々な方法がある。
【０１０３】
本実施の形態の隠蔽層２４を接着テープによって剥がすと、隠蔽層２４のうち、隠蔽層上突出部分２６と隠蔽層下突出部分２７が基板シートに残るため、元に戻そうとすると、基板シートに残った上下の隠蔽層突出部分と継ぎ目が無い様に戻さなくてはならなくなる。もともとの隠蔽層２４は表面が平滑であるので、基板シートに残った上下の隠蔽層突出部分と平滑になるように元に戻さなければ、一目見てすぐに不正な行為をしたことが見破られてしまう。更に、基板シートに残った上下の隠蔽層突出部分も剥がした後に隠蔽層を設けようとしても、残った上下の隠蔽層突出部分は隠蔽層を形成するインキが基板シートと強力に結びついているため、無理やり剥がそうとすると、紙ごと剥いてしまい、紙を剥いてしまった部分まで元に戻し、その後に隠蔽層を新たに設けるのは非常に困難である。くじ部分をいくつも設けたくじにおいて、接着テープによって剥がしたものが「はずれ」であった場合に、剥がしてしまった隠蔽層をあたかも剥がしていないかのように元に戻し、「あたり」が出るまでいくつものくじ部分を剥がしてゆくという不正行為はかなり多く発生し、従来から様々な対策技術がある。本願発明では基板シートに薄い紙を採用できるだけでなく、かつ、このような不正行為をも防止することができる。
【０１０４】
隠蔽層上突出部分２６と隠蔽層下突出部分２７の大きさは問わないが、剥離するニス層１８と隠蔽層２４との重複部分２５が大きく、かつ、基板シートに残る隠蔽層上突出部分２６と隠蔽層下突出部分２７が大きいほど元に戻すことを困難にすることができると予想される。ただし、隠蔽層２４からニス層１８の一部が出ていても、隠蔽層２４の面積がニス層１８よりも大きくなってしまうと、誤って、ニス層１８が設けられれていない部分に接着テープを貼着してしまう可能性が高くなるため、ニス層１８の面積は隠蔽層２４よりも大きくすること必要がある。
【０１０５】
更に図３を参照して図２を応用した例について説明する。なお、図３において、隠蔽層５６を透明にして隠蔽している情報インキ層４１を見える状態にしているが、これは図を見やすくするためであり、実際には、情報インキ層４１は隠蔽層５６によって隠蔽されているので通常の状態では見ることはできない。
【０１０６】
図３は別の実施の形態を示すくじ部分の上面図である。図３において、４０はくじ部分、４１は情報インキ層、４２はニス層、４３はニス層４２のうちの左片部分、４４はニス層４２のうちの右片部分、４５は左片部分４３の右辺、４６は右片部分４４の左辺、４７は右片部分４４の右辺、４８は右片部分４４の上辺、４９は右片部分４４の下辺、５０は連接部分の中点、５１は左辺部分である矢印部分の横軸、５２は左辺部分である矢印部分の縦軸、５３はニス層４２のうち隠蔽層５６と重複している重複部分、５４はニス層４２のうち隠蔽層５６の外周の右側から出ているニス層右突出部分、５５はニス層４２のうち隠蔽層５６の外周の左側から出ているニス層左突出部分、５６は隠蔽層、５７は隠蔽層５６のうちニス層４２と重複している重複部分、５８は隠蔽層５６のうちニス層４２の外周の左上側から出ている隠蔽層左上突出部分、５９は隠蔽層５６のニス層４２の外周の左下側から出ている隠蔽層左下突出部分、６０は隠蔽層５６の中心、６１は左隠蔽層接線、６２は注意書き、６３は右貼着個所指示線、６４は左貼着個所指示線である。
【０１０７】
図３において、くじ部分４０は図示しない基板シート上に設けられており、情報インキ層４１、ニス層４２、隠蔽層５５よりなる。情報インキ層４１は抽選情報を形成している層であり、本実施の形態では「あたり」を形成している。ニス層４２は、左片部分４３と右片形部分４４からなり、左片部分４３と右片部分４４は、必ず連接しているものである。本実施の形態では、左片部分４３は右片部分４４とは対称の方向を向いた矢印の形をしており、右片部分４４は長方形の形をしている。そして、左片部分４３の右辺４５と、右片部分４４の左辺４６によって左辺部分と右辺部分は連接されている。また、連接するそれぞれの片の中点が合わさるように連接されている。隠蔽層５６は円であり、隠蔽層５６の中心６０が、ニス層４２の左片部分４３の右辺４５とニス層４２の右片部分４４の左辺４６との連接部分の中点５０、と略同じ位置になるように設けられ、隠蔽層５６とニス層４２は上下に積層されている。ニス層４２は、左片部分４３と右片部分４４とを連接した状態で、隠蔽層５６よりも面積が大きく、かつ、ニス層４２の一部分が隠蔽層５６の外周から出るように設計されている。更に、隠蔽層５６はニス層４２よりも面積が小さく、かつ、隠蔽層５６の一部分がニス層４２の外周よりも出るように設けられている。すなわち、ニス層４２のうち右辺部分４４は、右片部分４４の左辺４６と右片部分４４の右辺４７が隠蔽層５６の直径の長さ以上になるように、かつ、右片部分４４の上辺４８と右片部分４４の下辺４９が隠蔽層５６の半径の長さ以上になるように設計されており、また、ニス層４２のうち左辺部分４３は、矢印の頂点から連接部分の中点までを横軸５１、横軸５１に垂直で矢印の軸部分を縦軸５２とすると、縦軸５２の長さが隠蔽層５６の直径よりも短くなるように、かつ、横軸５１の長さが隠蔽層５６の半径よりも長くなるように設けられている。したがって、正面から見た場合、隠蔽層５６の中心６０に近い部分より右側の半円の外周からはニス層右突出部分５４が不均一に出ており、隠蔽層５６の中心６０に近い部分より左側の半円の外周の一部分からはニス層左突出部分５５が不均一に出ている。よって、これらの左右の突出部分５４、５５が隠蔽層５６よりも出ているため、ここを利用することにより隠蔽層５６のうちニス層４２と重複する重複部分５７を剥離する際に接着テープが基板シートに貼着することを防ぐ事ができる。また、正面から見た場合、隠蔽層５６のうちニス層４２と重複している重複部分５７から左上に突出している隠蔽層左上突出部分５８と、重複部分５７から左下に突出している隠蔽層左下突出部分５９がニス層４２から出ており、基板シート上に直接積層されている。よって、隠蔽層５６のうちニス層４２と重複する重複部分５７を剥がした後は隠蔽層５６の一部分である左側上下の突出部分５８、５９が残るため、これらの部分で一度剥がしたものを元に戻すという不正行為を防ぐ事が可能となる。ここで、ニス層４２のうち隠蔽層５６と重複する重複部分５３と、隠蔽層５６のうちニス層４２と重複する重複部分５７は上下に重なっており、情報インキ層４１は、この重複部分の範囲内の図示しない基板シート上に設けられている。
【０１０８】
なお、ニス層４２と隠蔽層とが重複している重複部分５２、５７は、０．３５ｍｍ以上の大きさの文字が２文字以上設けることができる大きさに設計することが好ましいのはいうまでもない。更に、剥がすために用いる接着テープの幅が隠蔽層接線６１の長さ以下になるようにニス層４２と隠蔽層５６を設計することが好ましい。また、隠蔽層５６からニス層４２の一部が出ていても、隠蔽層５６の面積がニス層４２よりも大きくなってしまうと、誤って、ニス層４２が設けられれていない部分に接着テープを貼着してしまう可能性が高くなるため、ニス層４２の面積は隠蔽層５６よりも大きくする必要がある。
【０１０９】
また、ニス層のうち右片部分４４に注意書き６２を設けているが、この注意書き６２は設けても設けなくてもよい。設けた方が、誤ってニス層４２を隠蔽層５７よりも出るように設けていない個所に接着テープを貼着してしまうことを防ぐ事ができるので、設けた方が好ましい。図３のように、右貼着個所指示線６３と左貼着個所指示線６４によって接着テープを貼着する範囲を明確に示すことによって、使用者は左貼着個所指示線６４の近辺に接着テープを貼着し始め、隠蔽層５６のうちニス層４２と重複する重複部分５７の一部を覆い、右貼着個所指示線６３の近辺にまで張ったのち、矢印の方向に剥がすようになり、誤ってニス層４２が設けられていない部分に接着テープを貼着する可能性を低くすることができる。なお、左貼着個所指示線６４の近辺に接着テープを貼着し始め、隠蔽層５６のうちニス層４２と重複する重複部分５７の一部を覆い、右貼着個所指示線６３の近辺にまで張った後、矢印の方向に剥がすという剥がし方は、右利きの人を想定した場合であり、左利きの人はこの逆になると考えられる。
【０１１０】
注意書き６２の設け方は、図３では、情報インキ層４１を設けるのと同時に設けているが、別段これに限定する必要は無い。どこの工程で設けてもよいし、設ける手段は塗布できればどのような方法を用いてもよい。また、本実施の形態では、ニス層４２のうち左片部分４３を矢印の形に、右片部分４４を長方形にしたが、別段これに限定する必要は無い。ニス層４２の面積が隠蔽層５６よりも大きく、更に、隠蔽層５６をニス層４２の上に設けた場合に、隠蔽層５６の外周の一部からニス層４２の一部が出て、かつ、ニス層４２の外周の一部から隠蔽層５６の一部が出ていればどのように設けてもよい。
【０１１１】
次に、図４を参照して、ニス層の様式の一例について説明する。なお、図４において、隠蔽層７３を透明にして隠蔽している情報インキ層７１を見える状態にしているが、これは図を見やすくするためであり、実際には、情報インキ層７１は隠蔽層７３によって隠蔽されているので通常の状態では見ることはできない。
【０１１２】
図４（Ａ）は別の実施の形態を示すくじ部分の上面図である。図４（Ａ）において、７０はくじ部分、７１は情報インキ層、７２はニス層、７３は隠蔽層、７４はニス層の中心、７５は隠蔽層の中心、７６はニス層の直径、７７は隠蔽層の直径、７８は剥離可能限界線、７９は隠蔽層のうち剥離可能限界線によって分けられる剥離部分、８０は隠蔽層のうち剥離可能限界線によって分けられる残存部分、８１はニス層余白部分である。
【０１１３】
図４（Ａ）において、くじ部分７０は図示しない基板シート上に設けられており、情報インキ層７１、ニス層７２、隠蔽層７３よりなる。ニス層７２と隠蔽層７３は共に円の形をしており、ニス層７２の直径７４が隠蔽層７３の直径７６よりも長くなるように設計されている。また、隠蔽層７３は、ニス層７２の上に積層されており、隠蔽層７３は、その全体がニス層７２よりも出ない程度に、ニス層の中心７４よりも右下にずらして設けられている。すなわち、ニス層７２が隠蔽層７３よりも面積が大きく、かつ、隠蔽層７３よりも不均一に出るように設けられている状態である。ニス層余白部分８１は、隠蔽層７３をニス層７２よりも右下にずらしたことによりできる、ニス層７２が隠蔽層７３よりも出ている最大の場所であり、ここを利用することによって隠蔽層７３を剥がすときに基板シートに接着テープが貼着することを防ぐことができる。
【０１１４】
剥離可能限界線７８は、接着テープの幅が、ニス層７２の弧の長さと一致する場所を指示する線分である。接着テープによって隠蔽層７３を剥がす際は、隠蔽層７３全てを剥がすことができない。隠蔽層７３のうち剥離可能限界線７８によって分けられる残存部分８０側は剥がすことができずに残る。なぜなら、隠蔽層７３を、ニス層７２よりも出ないようにその中心を右下にずらしたため、隠蔽層７３のうち剥離可能限界線７８によってわけられる残存部分８０側は、接着テープが基板シートに貼着することを防ぐ事ができる程度までニス層７２が出ていないからである。よって、隠蔽層７３全体を覆うように接着テープを貼着すると、隠蔽層７３のうち剥離可能限界線７８によって分けられる残存部分８０側で接着テープが基板シートに貼着してしまう。したがって、剥離可能限界線７８で分けられる剥離部分７９が剥離できる最大範囲となり、情報インキ層７１は、隠蔽層７３のうち、この剥離可能限界線７８で分けられる剥離部分７９側に設けられている。
【０１１５】
また、例えば、隠蔽層７３をニス層７２の外周に重なるようにずらしたり、ニス層７２の外周から隠蔽層７３の一部が出てしまうまでずらすことも可能である。しかし、隠蔽層７３をニス層７２の外周に重なるようにずらすと、隠蔽層７３の大きさによっては、隠蔽層７３のうち剥離可能限界線７８によって分けられる剥離部分７９がかなり小さくなってしまうことも考えられるため、好ましくはない。また、ニス層７２の外周から隠蔽層７３の一部が出てしまうほどずらしてしまうと、ニス層７２の輪郭が隠蔽７３層によってわからなくなってしまい、隠蔽層７３を剥がす際に誤ってニス層７２が設けられていない部分にまで接着テープを貼着してしまう恐れが生じるので、「これ以上は貼着しないでください」などの注意書きを設けるとよい。
【０１１６】
図４（Ｂ）は別の実施の形態を示すくじ部分の上面図である。図４（Ｂ）において、８５はくじ部分、８６は情報インキ層、８７はニス層、８８は隠蔽層、８９はニス層の高さ、９０は隠蔽層の直径、９１は剥離可能限界線、９２は隠蔽層のうちはくり可能限界線によって分けられる剥離部分、９３は剥離可能限界線によって分けられる残存部分である。
【０１１７】
図４（Ｂ）において、くじ部分８５は図示しない基板シート上に設けられており、情報インキ層８６、ニス層８７、隠蔽層８８よりなる。ニス層８７は正三角形であり、隠蔽層８８はニス層８７に内接する円である。隠蔽層８８はニス層８７に接しているが、ニス層８７のうち、三角形の各頂点が隠蔽層８８よりも出ている。すなわち、ニス層８７は隠蔽層８８よりも面積が大きく、かつ、各頂点が隠蔽層８８よりも出ている状態である。隠蔽層８８よりも出ている各頂点によって接着テープが基板シートに貼着してしまうことを防いでいる。
【０１１８】
剥離可能限界線９１は、３つあるニス層８７と隠蔽層８８の接点のうち２つを結んだ線である。隠蔽層８８を剥がすために使用する接着テープは、その幅が、剥離可能限界線９１の長さ以下のものにしなければ、基板シート上に接着テープが貼着してしまうため好ましくない。また、接着テープを用いて隠蔽層８８を剥がす際には隠蔽層８８を全て剥がすことはできず、隠蔽層８８のうち剥離可能限界線９１によって分けられる残存部分９３は剥がすことができずに残る。なぜなら、ニス層８７は三角形なので、剥離可能限界線９１より先は徐々に狭まっていくからである。情報インキ層８６は、隠蔽層８８のうち、この剥離可能限界線９１で分けられる剥離部分９２側に設けられており、情報インキ層８６を目視するには、接着テープを、ニス層８７の３つの辺のうち剥離可能限界線９１に平行な辺の近辺に、基板シート上に接着テープが貼着しないように貼り、剥離可能限界線９１によって分けられる剥離部分９２を覆って、剥離可能限界線９１の近辺に基板シートに貼着しないように貼った後、引き剥がすことで可能となる。
【０１１９】
図４において、図４（Ａ）、図４（Ｂ）それぞれの隠蔽層のうち、剥離可能限界線によって分けられる残存部分の大きさは、０．３５ｍｍ以上の大きさの文字が２文字以上設けることができる大きさであるのが好ましい。更に、ニス層の面積は、隠蔽層を剥がす際に基板シートに接着テープが貼着してしまうこと防ぐことはもちろんのこと、誤ってニス層が設けられていない部分に接着テープを貼着してしまうことを防ぐためにも隠蔽層よりも大きくする必要がある。また、家庭で使用されることが多い、１２ｍｍや１５ｍｍの幅の接着テープを採用することができるように、ニス層と隠蔽層を設計することが好ましい。
【０１２０】
また、図１から図４まで隠蔽層を円に固定したが、これに限定する必要はない。また、一つの隠蔽層で情報インキ層全てを隠蔽しているが、これに限定する必要は無く、情報インキ層を一部ずつ覆ってもよい。つまり、情報インキ層が「あたり」という文字の場合、「あ」と「た」と「り」を一文字ずつ覆うことも可能ということである。更に、少なくとも情報インキ層を隠蔽することができればよいので、極端な例を挙げれば、情報インキ層が「あたり」という文字である場合に、この「あたり」という文字を隠蔽するように、隠蔽層を「あたり」という文字にすることも可能である。ただし、このようにしてしまうと、隠蔽層を剥がす前に情報インキ層が何であるのかがわかってしまうので、好ましい隠蔽層とはいえない。
【０１２１】
図５、図６は本願発明の別の実施の形態を示したものである。図５は本実施の形態の一例を表した断面図であり、図６はそのくじ部分のみを積層順に展開した展開図である。図５、図６のくじ部分を抽選カードなどに設けた場合の上面図は図１（Ａ）と同様であるため割愛する。図５において１０１は基板シート、１０２はくじ部分、１０３は下地インキ層、１０４は情報インキ層、１０５はニス層、１０６は隠蔽層、１０７は下地インキ層の直径、１０８は情報インキ層の端点から端点までの長さ、１０９はニス層１０５の直径、１１０は隠蔽層１０６の直径である。また、図６において、図６（Ａ）は下地インキ層の上面図、図６（Ｂ）は情報インキ層の上面図、図６（Ｃ）はニス層の上面図、図６（Ｄ）は隠蔽層の上面図、（Ｅ）は全ての層を積層した後の通常の状態から見た上面図であり、１０２はくじ部分、１０３は下地インキ層、１０４は情報インキ層、１０５はニス層、１０６は隠蔽層、１０７は下地インキ層の直径、１０８は情報インキ層の端点から端点までの長さ、１０９はニス層１０５の直径、１１０は隠蔽層１０６の直径、１１１は下地インキ層１０３の中心、１１２はニス層１０９の中心、１１３は隠蔽層１０６の中心、１１４はくじ部分の中心である。
【０１２２】
図５、図６において、くじ部分１０２は基板シート１０１上に設けられており、下地インキ層１０３、情報インキ層１０４、ニス層１０５、隠蔽層１０６よりなる。下地インキ層１０３は情報インキ層１０４の端点から端点までの長さ１０８の最大値をその直径とする円の形をしており、基板シート１０１上に直接設けられている。情報インキ層１０４は「あたり」若しくは、「はずれ」を形成している層であり、下地インキ層１０３の上に、かつ、下地インキ層１０３の範囲から出ないようにして設けられている。ニス層１０５、隠蔽層１０６は共に円の形をしており、ニス層１０５、隠蔽層１０６のそれぞれの中心１１２、１１３が下地インキ層１０３の中心１１１と重なるように設けられている。下地インキ層１０３の直径１０７と隠蔽層１０６の直径１１０は略同じ長さであり、ニス層１０５の直径１０８は下地インキ層１０３と隠蔽層１０６の直径よりも長くなるように設計されている。したがって、正面から見ると、下地インキ層１０３と情報インキ１０４は見えない。また、ニス層１０５が隠蔽層１０６よりも面積が大きく、かつ、隠蔽層１０６の外周からニス層１０５が均等に出ているように見える。
【０１２３】
図１と同じ名前を付したものは同じものであるため説明を割愛し、下地インキ層１０３について説明する。下地インキ層１０３は情報インキ層１０４と任意の順に積層することができる層である。本実施の形態では情報インキ層１０４の下に設けられているが、これに限定するわけではなく、情報インキ層１０４の上に設けることもできる。また、下地インキ層１０３は文字、記号、図形、またはこれらの結合からなるものであり、情報インキ層１０４と少なくとも一部が重複するものである。本実施の形態では、下地インキ層１０３は四角形の集合からなる模様であり、情報インキ層１０４の一部と重複している。ここで、重複するとは、例えば、下地インキ層１０３と情報インキ層１０４を印刷方式で設けた場合、それぞれの層を形成する印刷部分が少なくとも一部は重なるということである。なお、下地インキ層１０３は、基板シート１０１の裏面から強い光を当てて抽選情報を最外層に影として写し出しても、写し出された影によって抽選情報の解読を困難にさせる役割を担うものであるため、たとえ情報インキ層１０４と重複しなくてもこの役割を担うことができれば重複する必要は無い。下地インキ層１０３によって、基板シート１０１の裏面から強い光を当てて、情報インキ層１０４を最外層に影として写しも、写し出された影によって情報インキ層１０４を解読することをより困難にすること、又は、情報インキ層１０４の影を写すことを阻止することができるようになる。すなわち、下地インキ層１０３を絵柄にして情報インキ層１０４の下に設ければ、基板シート１０１の裏面から強い光を当てて、情報インキ層１０４を最外層である隠蔽層１０６に写し出そうとしても、隠蔽層１０６には情報インキ層１０４の影だけでなく、下地インキ層１０３の影も一緒に写るので、情報インキ層１０４の解読を困難にすることができるし、また、下地インキ層１０３をベタとして情報インキ層１０４の下に設ければ、基板シート１０１の裏面から強い光を当てて、情報インキ層１０４を最外層である隠蔽層１０６に写し出そうとしても、ベタ塗りの下地インキ層１０３によって情報インキ層１０４の影を写し出すことを阻止することができるようになる。下地インキ層１０３を情報インキ層１０４の上に設けた場合も同様であり、下地インキ層１０３を絵柄にして情報インキ層１０４の上に設ければ、基板シート１０１の裏面から強い光を当てて、情報インキ層１０４を最外層である隠蔽層１０６に写し出そうとしても、隠蔽層１０６には、情報インキ層１０４の影だけでなく、下地インキ層１０３の影も一緒に写るので、情報インキ層１０４の解読を困難にすることができるし、また、下地インキ層１０３をベタとして情報インキ層１０４の上に設ければ、基板シート１０１の裏面から強い光を当てて、情報インキ層１０４を最外層である隠蔽層１０６に写し出そうとしても、ベタ塗りの下地インキ層１０３によって情報インキ層１０４の影を写し出すことを阻止することができるようになる。したがって、基板シート１０１の上に情報インキ層１０４と任意の順に積層される下地インキ層１０３を有しているため、基板シート１０１の裏面から強い光を当てて、情報インキ層１０４を最外層に影として写しも、写し出された影によって情報インキ層１０４を解読することをより困難にすること、又は、情報インキ層１０４の影を写すことを阻止することができるようになり、例えば、俗にグラビア印刷で微塗工紙と呼ばれている非常に薄く、表面強度の弱い紙を基板シート１０１に採用することも可能となる。更に、ニス層１０５を隠蔽層１０６よりも面積が大きくなるように、かつ、ニス層１０５が隠蔽層１０６の外周から均等に出るように設けているため、表面強度が弱い紙を採用しても紙剥けを生じさせずに隠蔽層１０６のみを剥がすことができる。
【０１２４】
図５、図６において、下地インキ層１０３は、情報インキ層１０４の端点から端点までの長さ１０８の最大値をその直径とする円であるが、これに限定する必要はない。情報インキ層１０４よりも小さくてもよいし、又は、情報インキ層１０４よりも大きくてもよい。例えば、基板シート１０１一面に下地インキ層１０３を設け、次に、下地インキ層１０３上の任意の個所に情報インキ層１０４、ニス層１０５、隠蔽層１０６という順に積層してゆくことも可能である。
【０１２５】
本願発明において、下地インキ層１０３は、情報インキ層１０４が基板シート１０１の裏面からの強い光によって隠蔽層１０６に影として写し出されるのを困難にする、もしくは、影として写し出されても、その影による抽選情報の解読を困難にさせるという役割を担うものであって、隠蔽層１０６によって隠蔽されるべきものではない。したがって、下地インキ層１０３は通常の状態で見えていてもかまわなく、下地インキ層１０３の全てを、隠蔽層１０６によって覆う必要はない。ニス層１０５も、隠蔽層１０６を剥がす際に、紙剥けすることを防止するために設けられるものであるため、隠蔽層１０６を紙剥けすることなく剥がすことができるように設けてあれば、下地インキ層１０３全てを覆う必要はない。ただし、ニス層１０５が覆う面積が大きければ大きいほど、基板シート１０１の何処に接着テープを貼着しても紙剥けすることなく隠蔽層１０６を剥がすことができるので、好ましいことは言うまでもない。
【０１２６】
また、図５、図６において、下地インキ層１０３は四角形の集合からなる模様であるが、これに限定する必要はない。下地インキ層１０３が、基板シート１０１の裏面から強い光を当てて抽選情報を最外層に影として写し出しても、写し出された影による抽選情報の解読を困難にさせるという役割を担うことができれば、下地インキ層１０３を文字、記号、図形、又はこれらの結合など、どのようなものにしてもよい。例えば、ベタでもよく、カラーの画像でもよく、文字の集合にしてもよい。ただし、情報インキ層１０４が「あたり」である場合に下地インキ層１０３を情報インキ層１０４と同じ大きさの文字で「あたり」とし、更に、情報インキ層１０４と重なるように設けたのでは、裏面から強い光を当てて隠蔽層１０６に情報インキ層１０４を影として写した場合に、その影をより濃くすることになりかねないので、好ましい下地インキ層１０３の形態とは言えない。さらに、情報インキ層１０４が「あたり」である場合に、下地インキ層１０３を情報インキ層１０４と同じ大きさの文字で「はずれ」として情報インキ層１０４と重なるように設けたり、または、情報インキ層１０４よりも小さい文字で、あたかも模様のように「はずれはずれはずれ…」と設けたりすると、隠蔽層１０６を剥がした際に、そのくじが「あたり」なのか「はずれ」なのかわからなくなり、混同を生じるため、好ましい下地インキ層１０３の形態とは言えない。しかし、下地インキ層１０３を、情報インキ層１０４よりも小さい文字で、かつ、情報インキ層１０４と同じものをあたかも模様のように設けることは前述したような混同を生じることも無く、また、情報インキ層１０４が影として隠蔽層１０６に写し出されてもその解読を困難にする役割を担うと考えられるので、採用可能な下地インキ層１０３の一形態といえる。この際には、下地インキ層１０３を、図５、図６のように、下地インキ層１０３が隠蔽層１０６によって隠蔽されるような大きさにしなければ、通常の状態でも情報インキ層１０４に何がかかれているのか解読されてしまう恐れが生ずるので、下地インキ層１０４の大きさに注意する必要がある。
【０１２７】
また、下地インキ層１０３の色、濃度は問わず、どのような色を用いてもよいし、どのような濃度にしてもよい。例えば、下地インキ層１０３を情報インキ層１０４の下に設け、かつ、ベタ塗りにする場合は、情報インキ層１０４よりも濃い色で下地インキ層１０３を設けた方が基板シート１０１の裏面から光を当てて影を写すことをより阻止できるので好ましいが、これに限る必要はない。なお、下地インキ層１０３を情報インキ層１０４の上に設ける場合は下地インキ層１０３によって情報インキ層１０４が見えなくならないように設ける必要がある。
【０１２８】
また、図５、図６において、ニス層１０５は隠蔽層１０６よりも面積が大きい円としたが、これに限定する必要はなく、図２、図３、図４に示すようにニス層１０５を変形することももちろん可能であり、図２、図３に示すように、ニス層１０５を、隠蔽層１０６よりも面積が大きく、かつ、隠蔽層１０６の外周の一部から出るように設け、更に、隠蔽層１０６を、ニス層１０５よりも面積が小さく、かつ、ニス層１０５の外周の一部から出るように設ける事も可能である。下地インキ層１０３を有し、更に、図２、図３に示すように、ニス層１０５を、隠蔽層１０６よりも面積が大きく、かつ、隠蔽層１０６の外周の一部から出るように設け、更に、隠蔽層１０６を、ニス層１０５よりも面積が小さく、かつ、ニス層１０５の外周の一部から出るように設けることによって、基板シート１０１の裏面から強い光を当てて、情報インキ層１０４を最外層である隠蔽層１０６に影として写し出して抽選情報を事前に読み取るという不正行為と共に、選択したくじ部分１０２の隠蔽層１０６を剥がしたとき、それがはずれくじであった場合に、あたかも剥がしていないかのように元に戻すという不正行為も防ぐことができるようになる。また、ニス層１０５が隠蔽層１０６よりも面積が大きく、かつ、隠蔽層１０６の外周よりも出るように設けられているため、紙剥けを生じることなく隠蔽層１０６を剥がすことができるのは言うまでもない。
【０１２９】
また、図５、図６において隠蔽層１０６を円に固定したが、これに限定する必要はない。また、一つの隠蔽層１０６で情報インキ層１０４全てを隠蔽しているが、これに限定する必要は無く、情報インキ層１０４を一部ずつ覆ってもよい。つまり、情報インキ層１０４が「あたり」という文字の場合、「あ」と「た」と「り」を一文字ずつ覆うことも可能ということである。更に、少なくとも情報インキ層１０４を隠蔽することができればよいので、極端な例を挙げれば、情報インキ層１０４が「あたり」という文字である場合に、この「あたり」という文字を隠蔽するように、隠蔽層１０６を「あたり」という文字にすることも可能である。ただし、このようにしてしまうと、隠蔽層１０６を剥がす前に情報インキ層１０４が何であるのかがわかってしまうので、好ましい隠蔽層１０６とはいえない。
【０１３０】
基板シート上に図５、図６のくじ部分を形成するには、まず基材シート１０１上に、下地インキ層１０３をグラビア印刷方式によって塗布し、次に、下地インキ層１０３に一部が重複するように情報インキ層１０４をグラビア印刷方式によって塗布し、次に、情報インキ層１０４を覆うように、かつ、まだ何も印刷されていない基板シート１０１上にもかかるようにニス層１０５をグラビア印刷方式で塗布し、次に、隠蔽層１０６をグラビア印刷方式で塗布している。図１と同じ名前を付した層についての説明は図１と同じである。本実施の形態では、下地インキ層にはロジン系樹脂を用いている。しかし、別段これに限定する必要は無く、通常のグラビア印刷に使用するインキを用いることができる。また、図１（Ａ）に示すように、くじ部分１０２以外の基板シート１０１上に絵柄部分である見だしや絵柄部分である注意書きなどを設けることも可能である。くじ部分１０２以外の基板シート１０１上に絵柄部分を設ける手段には、下地インキ層１０３を基板シート一面に設けることによって絵柄部分も設ける手段を採用してもよく、絵柄部分は別に設けてから下地インキ層１０３を設けるという手段を採用してもよく、その組み合わせは自由である。また、塗布方法も塗布可能であればいずれの方法を採用してもよいが、図１の塗布方法と重複するため説明は割愛する。
【０１３１】
図７、図８は本願発明の別の実施の形態を示したものである。図７は本実施の形態の一例を表した断面図であり、図８はそのくじ部分のみを積層順に展開した展開図である。抽選カードなどに設けた場合の上面図は図１（Ａ）と同様であるため割愛する。図７において１２１は基板シート、１２２はくじ部分、１２３は情報インキ層、１２４はニス層、１２５はインキ層、１２６は隠蔽層、１２７は情報インキ層の端点から端点の長さの最大値、１２８はニス層１２４の直径、１２９はインキ層１２５の直径、１３０は隠蔽層１２６の直径である。また、図８において、図８（Ａ）は情報インキ層の上面図、図８（Ｂ）はニス層の上面図、図８（Ｃ）はインキ層の上面図、図８（Ｄ）は隠蔽層の上面図、図８（Ｅ）は全ての層を積層した後の通常の状態から見た上面図であり、１２２はくじ部分、１２３は情報インキ層、１２４はニス層、１２５はインキ層、１２６は隠蔽層、１２７は情報インキ層の端点から端点までの長さ、１２８はニス層１２４の直径、１２９はインキ層１２５の直径、１３０は隠蔽層１２６の直径、１３１はニス層の中心、１３２はインキ層の中心、１３３は隠蔽層の中心、１３４はくじ部分の中心である。
【０１３２】
図７、図８において、くじ部分１２２は基板シート１２１上に設けられており、情報インキ層１２３、ニス層１２４、インキ層１２５、隠蔽層１２６よりなる。情報インキ層１２３は「あたり」若しくは、「はずれ」を形成している層であり、基板シート１２１上に設けられている。ニス層１２４は、円の形をしており、情報インキ層１２３を覆うように、かつ、基板シート１２１上にもかかるようにして基板シート１２１上に設けられている。また、ニス層１２４の直径はインキ層１２５と隠蔽１２６層よりも長くなるように設計されている。インキ層１２５と隠蔽層１２６は、共に、情報インキ層１２３の端点から端点までの長さ１２７の最大値をその直径とする円であり、ニス層１２４の上に、インキ層１２５、隠蔽層１２６の順で情報インキ層１２３を覆うように積層されている。また、ニス層１２４、インキ層１２５、隠蔽層１２６は、それぞれの中心がくじ部分１３４の中心と重なるように設けられている。したがって、正面から見ると、情報インキ層１２３とインキ層１２５は隠蔽層１２６によって見えない。また、ニス層１２４が、隠蔽層１２６よりも面積が大きく、かつ、隠蔽層１２６の外周から均等に出ているように見える。
【０１３３】
図１と同じ名前を付したものは同じのもであるため説明を割愛し、インキ層１２５について説明する。インキ層１２５はニス層１２４の上に、隠蔽層１２６と任意の順に積層することができる層である。本実施の形態では、隠蔽層１２６の下に設けられているが、これに限定するわけではなく、隠蔽層１２６の上に設けることも可能である。また、インキ層１２５は文字、記号、図形、またはこれらの結合からなるものであり、情報インキ層１２３と少なくとも一部が重複するものである。本実施の形態では、インキ層１２５は四角形の集合からなる模様であり、情報インキ層１２３の一部と重複している。ここで、重複するとは、例えば、情報インキ層１２３とインキ層１２５を印刷方式で設けた場合、それぞれの層を形成する印刷部分が少なくとも一部は重なるということである。インキ層１２５を隠蔽層１２６の下に設けた場合は、情報インキ層１２３とインキ層１２５の間にニス層１２４が介在するが、ニス層１２４を通じて情報インキ層１２３とインキ層１２５とが重複するということである。また、インキ層１２５を隠蔽層１２６の上に設けた場合も、情報インキ層１２３とインキ層１２５の間に、ニス層１２４と隠蔽層１２６が介在するが、ニス層１２４と隠蔽層１２６を通じて情報インキ層１２３とインキ層１２５とが重複するということである。なお、インキ層１２５は、基板シート１２１の裏面から強い光を当てて抽選情報を最外層に影として写し出しても、写し出された影によって抽選情報の解読を困難にさせる役割を担うものであるため、たとえ情報インキ層１２３と重複しなくてもこの役割を担うことができれば重複する必要は無い。ニス層１２４の上に隠蔽層１２６と任意の順で積層できるインキ層１２５を有することによって、基板シート１２１の裏面から強い光を当てて、情報インキ層１２３を最外層に影として写しも、写し出された影によって情報インキ層１２３を解読することをより困難にすること、又は、情報インキ層１２３の影を写すことを阻止することができるようになる。すなわち、インキ層１２５を絵柄等にして隠蔽層１２５の下に設ければ、基板シート１２１の裏面から強い光を当てて、情報インキ層１２５を最外層である隠蔽層１２６に写し出そうとしても、隠蔽層１２６には情報インキ層１２３の影だけでなく、インキ層１２５の影も一緒に写るので、情報インキ層１２３の影だけを読み取ることを困難にすることができるし、また、インキ層１２５をベタにして隠蔽層１２６の下に設ければ、基板シート１２１の裏面から強い光を当てて、情報インキ層１２３を最外層である隠蔽層１２６に写し出そうとしても、ベタ塗りのインキ層１２５によって情報インキ層１２３の影を写し出すことを阻止することができるようになる。インキ層１２５を隠蔽層１２６の上に設けた場合も同様で、インキ層１２５を絵柄にして隠蔽層１２６の上に設ければ、基板シート１２１の裏面から強い光を当てて、情報インキ層１２３を最外層であるインキ層１２５に写し出そうとしても、最外層であるインキ層１２５には、情報インキ層１２３の影だけでなくインキ層１２５の絵柄も見えるので、情報インキ層１２３の影だけを読み取ることを困難にすることができるし、また、インキ層１２５をベタにして隠蔽層１２６の上に設ければ、基板シート１２１の裏面から強い光を当てて、情報インキ層１２３を最外層であるインキ層１２５に写し出そうとしても、ベタ塗りのインキ層１２５によって情報インキ層１２３の影を写し出すことを阻止することができるようになる。したがって、ニス層１２４の上に隠蔽層１２６と任意の順で積層されるインキ層１２５を有しているため、基板シート１２１の裏面から強い光を当てて、情報インキ層１２３を最外層に影として写し出しても、写し出された影による抽選情報の解読を困難にさせる事、又は、情報インキ層１２３の影を写し出すことを阻止することができるようになり、隠蔽層１２６を剥がす前に抽選情報を読み取ってしまうという不正を防ぐ事ができる。したがって、例えば、俗にグラビア印刷で微塗工紙と呼ばれている非常に薄く、表面強度の弱い紙を基板シート１２１に採用することも可能となる。また、ニス層１２４を隠蔽層１２６よりも面積が大きくなるように、かつ、ニス層が隠蔽層１２６の外周よりも均等に出るように設けられているため、紙剥けを生じることなく隠蔽層１２６を剥がすことができる。
【０１３４】
図７、図８において、インキ層１２５は、情報インキ層１２３の端点から端天までの長さの最大値１２７をその直径とする円であるが、これに限定する必要はない。例えば、その一部が情報インキ層１２３と重複するように、情報インキ層１２３よりも小さく設けてもよいし、もちろん、情報インキ層１２３よりも大きく設けてもよいし、基板シート１２１一面に設けてもよい。ただし、インキ層１２５を、隠蔽層１２６の下に設けても、隠蔽層１２６の上に設けても、どちらにしろニス層１２４の上にインキ層１２５が設けられることになる。ニス層１２４の上にインキ層１２５が設けられることによって、ニス層１２４の輪郭が不明確になり、隠蔽層１２６を剥がす際に接着テープが紙に貼着してしまう場合も考えられる。例えば、基板シート１２１上に部分的に情報インキ層１２３を設け、次に情報インキ層１２３を覆うようにニス層１２４を設け、次に、ニス層１２４も含めて基板シート１２１の上にインキ層１２４を一面に設け、次に、情報インキ層１２３のみを隠蔽するように部分的に隠蔽層１２６をインキ層１２４の上に設けた場合は、インキ層１２５によってニス層１２４の輪郭が不明確になってしまい、その結果、隠蔽層を剥がす際に接着テープを基板シート１２１に貼着してしまう可能性が生じてくる。したがって、インキ層１２５は、ニス層１２４の面積以下の大きさにし、かつ、ニス層１２４の外周から出ないように設けることが好ましい。更に言えば、隠蔽層１２６と同じ面積、同じ形状、同じ位置に設けることが好ましい。しかし、インキ層１２５を、ニス層１２４の輪郭がわからなくなるように設けたとしても、注意書きを設けることによって、ニス層１２４の輪郭を示すせば前述した可能性は低くなる。更に、インキ層１２５を隠蔽層１２６の上に設けることによって、ニス層１２４の輪郭だけでなく、隠蔽層１２６の輪郭をも不明確になってしまった場合も、注意書きを設けてニス層１２４と隠蔽層１２６の範囲をそれぞれ示すことが好ましい。
【０１３５】
また、図７、図８において、インキ層１２５は四角形の集合からなる模様であるが、これに限定する必要はない。インキ層１２５が、情報インキ層１２３が基板シート１２１の裏面からの強い光によって隠蔽層１２６に影として写し出されるのを阻止する、もしくは、影として写し出されても、その影による抽選情報の解読を困難にする、という役割を担うことができれば、インキ層１２５を文字、記号、図形、又はこれらの結合など、どのようなものにしてもよい。例えば、ベタでもよく、カラーの画像でもよく、文字の集合にしてもよい。ただし、情報インキ層１２３が「あたり」である場合に、インキ層１２５を情報インキ層１２３と同じ大きさの文字で「あたり」とし、更に、情報インキ層１２３と重なるように設けたのでは、裏面から強い光を当てて隠蔽層１２６に情報インキ層１２３を影として写した場合に、その影をより濃くすることになりかねないので、好ましいインキ層１２５の形態とはいえない。つまり、情報インキ層１２３と全く同じになるようにインキ層１２５を設けることは、好ましいインキ層１２５の形態とはいえない。しかし、情報インキ層１２３が「あたり」である場合に、インキ層１２５を情報インキ層１２３よりも小さい文字で、あたかも模様のように「あたりあたり…」と設けることは、情報インキ層１２３が影として隠蔽層１２６に写し出されてもその解読を困難にする役割を担うと考えられるので、採用可能なインキ層１２５の一形態といえる。
【０１３６】
また、インキ層１２５の色、濃度は問わず、どのような色を用いてもよいし、どのような濃度にしてもよい。情報インキ層１２３よりも濃い色にすることによって、隠蔽層１２６を剥がす前に抽選情報を読み取るという不正を効果的に防ぐ事ができるので好ましい。しかしこれに限定する必要は無い。
【０１３７】
インキ層１２５を文字、記号、図形、もしくはこれらの結合からなる模様などにすると、美観を向上させることができる。例えば、隠蔽層の下に設けるインキ層１２５を文字、記号、図形、もしくはこれらの結合からなる模様にすると、通常の状態で見たときにあたかも和紙のすかし模様のように、隠蔽層１２６からインキ層１２５の絵柄が見えるようになり、美観を向上することができる。また、隠蔽層の上に設けるインキ層１２５を文字、記号、図形、もしくはこれらの結合からなる模様にすると、通常の状態で見たときに設けた模様の間から隠蔽層が見えるようになり、美観を向上させることができる。このとき、模様などを、白抜きにして設けた方が、情報インキ層１２３と重複する部分が増えることになり、インキ層１２５によっても情報インキ層１２３を隠蔽することになるので好ましい。
【０１３８】
また、図７、図８において、ニス層１２４は隠蔽層１２６よりも面積が大きい円としたが、これに限定する必要はなく、図２、図３、図４に示すようにニス層１２４を変形することももちろん可能であり、図２、図３に示すように、ニス層１２４を、隠蔽層１２６よりも面積が大きく、かつ、隠蔽層１２６の外周の一部から出るように設け、更に、隠蔽層１２６を、ニス層１２４よりも面積が小さく、かつ、ニス層１２４の外周の一部から出るように設ける事も可能である。インキ層１２５を有し、更に、図２、図３に示すように、ニス層１２４を、隠蔽層１２６よりも面積が大きく、かつ、隠蔽層１２６の外周の一部から出るように設け、更に、隠蔽層１２６を、ニス層１２４よりも面積が小さく、かつ、ニス層１２４の外周の一部から出るように設けることによって、基板シート１２１の裏面から強い光を当てて、情報インキ層１２３を最外層である隠蔽層１２６に影として写し出して抽選情報を事前に読み取るという不正行為と共に、選択したくじ部分１２２の隠蔽層１２６を剥がしたときそれがはずれくじであった場合に、あたかも剥がしていないかのように元に戻すという不正行為も防ぐことができるようになる。また、ニス層１２４が隠蔽層１２６よりも面積が大きく、かつ、隠蔽層１２６の外周よりも出るように設けられているため、紙剥けを生じることなく隠蔽層１２６を剥がすことができるのは言うまでもない。
【０１３９】
また、図７、図８において隠蔽層１２６を円に固定したが、これに限定する必要はない。また、一つの隠蔽層１２６で情報インキ層１２３全てを隠蔽しているが、これに限定する必要は無く、情報インキ層１２３を一部ずつ覆ってもよい。つまり、情報インキ層１２３が「あたり」という文字の場合、「あ」と「た」と「り」を一文字ずつ覆うことも可能ということである。更に、少なくとも情報インキ層１２３を隠蔽することができればよいので、極端な例を挙げれば、情報インキ層１２３が「あたり」という文字である場合に、この「あたり」という文字を隠蔽するように、隠蔽層１２６を「あたり」という文字にすることも可能である。ただし、このようにしてしまうと、隠蔽層１２６を剥がす前に情報インキ層１２３が何であるのかがわかってしまうので、好ましい隠蔽層１２６とはいえない。
【０１４０】
基板シート上に図７、図８のくじ部分を形成するには、まず基材シート１２１上に、情報インキ層１２３をグラビア印刷方式によって塗布し、次に、情報インキ層１２３を覆うように、かつ、まだ何も印刷されていない基板シート１２１上にもかかるようにニス層１２４をグラビア印刷方式で塗布し、次に、ニス層の上にインキ層１２５をグラビア印刷方式で塗布し、次に、インキ層１２４の上に隠蔽層１２６をグラビア印刷方式で塗布している。図１と同じ名前を付した曽についての説明は図１と同じである。インキ層は、隠蔽層と共に接着テープによって剥がされなくてはならない。このようにするには、隠蔽層と樹脂層を同じにすればよい。したがって、インキ層は、ニトロセルロース系樹脂の藍インキによって形成されている。よって、インキ層は、ニス層とは低密着性、低接着性を示し、隠蔽層とは強密着性、強接着性を示しており、接着テープによって隠蔽層を剥がす際には、隠蔽層と一緒にインキ層も剥がすことができる。本実施の形態ではインキ層はニトロセルロース系の藍インキとしたが、別段これに限定する必要はない。隠蔽層と共に剥離可能であれば、どのようなものを用いてもよく、例えば、銀インキでもよいし、何色も組み合わせてカラーの画像にしてもよい。また、図１（Ａ）に示すように、くじ部分１２２以外の基板シート１２１上に絵柄部分である見だしや絵柄部分である注意書きなどを設けることも可能である。くじ部分１２２以外の基板シート１２１上に絵柄部分を設ける手段には、インキ層１２５を基板シート一面に設けることによって絵柄部分も設ける手段を採用してもよく、絵柄部分は独立させて設けるという手段を採用してもよく、その組み合わせは自由である。また、塗布方法も塗布可能であればいずれの方法を採用してもよいが、図１の塗布方法と重複するため説明は割愛する。
【０１４１】
次に図９を参照して、インキ層の様式の一例について説明する。
【０１４２】
図９は別の実施の形態を表すくじ部分の展開図であり、基板シートと、基板シートの上に位置し、抽選情報を有する情報インキ層と、少なくとも前記抽選情報を覆うように基板シート上に設けられたニス層と、前記ニス層の上に位置し、ニス層と剥離可能に設けられた偽装情報インキ層と、前記偽装情報インキ層の上に位置し、少なくとも前記抽選情報と偽装情報を隠蔽し、かつ、偽装情報インキ層と共に剥離可能に設けられた隠蔽層と、を有し、前記ニス層を少なくとも、隠蔽層よりも面積が大きく、かつ、隠蔽層の外周よりも出るように設けた事を特徴とする印刷物のくじ部分を展開した展開図である。抽選カードなどに設けた場合の上面図は図１（Ａ）と同様であるため割愛し、断面図は図７と同様であるため割愛する。図９（Ａ）は情報インキ層の上面図、図９（Ｂ）はニス層の上面図、図９（Ｃ）はインキ層である偽装情報インキ層の上面図、図９（Ｄ）は隠蔽層の上面図、図９（Ｅ）は全ての層を積層した後の通常の状態から見た上面図である。また、図９において１４０はくじ部分、１４１は情報インキ層、１４２はニス層、１４３はインキ層である偽装情報インキ層、１４４は隠蔽層、１４５は情報インキ層の端点から端点までの長さ、１４６はニス層１４２の直径、１４７はインキ層である偽装情報インキ層１４３の端点から端点までの長さ、１４８は隠蔽層１４４の直径、１４９は情報インキ１４１の中心、１５０はニス層１４２の中心、１５１はインキ層である偽装情報インキ層１４３の中心、１５２は隠蔽層１４４の中心、１５３はすべての層を積層後のくじ部分１４０の中心である。
【０１４３】
図９において、くじ部分１４０は図示しない基板シート上に設けられており、情報インキ層１４１、ニス層１４２、インキ層である偽装情報インキ層１４３、隠蔽層１４４よりなる。情報インキ層１４１は「あたり」、若しくは「はずれ」を形成している層であり、基板シート上に直接設けられている。ニス層１４２は円の形をしており、情報インキ１４１層を覆い、かつ、基板シート上にもかかるように基板シート上に設けられている。また、ニス層１４２の直径１４６は、隠蔽層１４４の直径１４８より長くなるように設計されている。インキ層である偽装情報インキ層１４３は、ニス層１４２の上に設けられており、偽装の抽選情報である「あたり」、若しくは「はずれ」を形成している。また、偽装情報インキ層１４３は、情報インキ層１４１と大きさを同じにし、情報インキ層１４１と重複するように設けられている。隠蔽層１４４は、情報インキ層１４１の端点から端点までの長さ１４５の最大値をその直径とする円であり、偽装情報インキ層１４３の上に設けられ、情報インキ層１４１と偽装情報インキ層１４３とを隠蔽している。全ての層はその中心がくじ部分の中心１５３に重なるように情報インキ層１４１、ニス層１４２、偽装情報インキ層１４３、隠蔽層１４４の順に積層されている。ここで、情報インキ層１４１と偽装情報インキ層１４３の中心とは、それぞれの水平方向の中点と垂直方向の中点が重なる点である。したがって、正面から見ると情報インキ層１４１と偽装情報インキ層１４３は隠蔽層１４４によって見えない。また、ニス層１４２が隠蔽層１４４よりも面積が大きく、隠蔽層１４４の外周から均等に出ているように見える。
【０１４４】
図１と同じ名前を付したものは同じものであるため説明を割愛し、インキ層である偽装情報インキ層１４３について説明する。インキ層である偽装情報インキ層１４３は、偽装の抽選情報を有するインキ層であり、基板シートの裏面から強い光を当てて情報インキ層１４１を最外層に写し出そうとしたとき、情報インキ層１４１が有する抽選情報以外の抽選情報（偽装抽選情報）を最外層に写し出す役割を担う層である。偽装情報インキ層１４３によって、情報インキ層１４１が「当選」を有しているのか、「落選」を有しているのかを困難にさせることができる。ここで、偽装の抽選情報とは、情報インキ層１４１が有する抽選情報以外の抽選情報であり、例えば、情報インキ層１４１が有する抽選情報とは反対の意味を表す情報等である。
【０１４５】
図９のくじ部分は、あたりくじを示しており、情報インキ層１４１には「あたり」という文字が設けられているのに対し、偽装情報インキ層に１４３は、はずれくじに設ける「はずれ」という文字が設けられている。更に、この「はずれ」という文字は、はずれくじの「はずれ」とまったく同じになるように設けられている。偽装情報インキ層１４３と情報インキ層１４１とは、垂直方向の端点から端点までの長さの最大値と水平方向の端転から端点までの長さ最大値が同じになるように、かつ、それぞれの中心が重なるように設けられている。すなわち、ニス層１４２が間に介在するが、情報インキ層１４１が有する「あたり」という文字と偽装情報インキ層１４３が有する「はずれ」という文字が上下に重複するように設けられている。
【０１４６】
したがって、偽装情報インキ層１４３を有しているため、基板シートの裏面から強い光を当てて、情報インキ層１４１を最外層に影として写し出し、その影によって抽選情報を解読しようとしても、そのくじ部分があたりくじなのかはずれくじなのか判断することを困難にすることができる。すなわち、基板シートの裏面から強い光を当てて、情報インキ層１４１を最外層である隠蔽層１４４に影として写し出すと、情報インキ層１４１の有する「あたり」という文字と、偽造情報インキ層１４３の有する「はずれ」という文字が重なったものが見えることになる。文字と文字が重なっているため、どのようなものが書かれているのか判断することは困難であるし、たとえ、「あたり」と「はずれ」という文字が重なったものであると理解できても、情報インキ層１４１が「あたり」を有しているのか、「はずれ」を有しているのかを判断することは非常に困難である。よって、基板シート上にいくつもくじ部分１４０を設けた抽選カード等において、どのくじ部分１４０があたりくじであるのかを判断することを困難にすることができる。更に、ニス層１４２を隠蔽層１４４よりも面積を大きく、かつ、隠蔽層１４４の外周よりも出るように設けているため、紙剥けを生じることなく、隠蔽層１４４を剥離することができる。
【０１４７】
また、隠蔽層１４４は偽装情報インキ層１４３の上に位置し、情報インキ層１４１と偽装情報インキ層１４３を隠蔽している。隠蔽層１４４が抽選情報だけでなく、偽装情報インキ層１４３をも隠蔽するのは、偽装情報インキ層１４３が偽装の抽選情報１４３を有することによって、基板シートの裏面から強い光を当てて情報インキ層１４１を最外層に写し出したとき、情報インキ層１４１が「当選」を有しているのか、「落選」を有しているのかを困難にさせることが可能となるので、通常の状態で偽装情報インキ層１４３を見ることができてしまうと、情報インキ層１４１が有する抽選情報が何であるかがわかってしまうからである。
【０１４８】
また、図９において、ニス層１４２は隠蔽層１４４よりも面積が大きい円としたが、これに限定する必要はなく、図２、図３、図４に示すようにニス層１４２を変形することももちろん可能であり、図２、図３に示すように、ニス層１４２を、隠蔽層１４４よりも面積が大きく、かつ、隠蔽層１４４の外周の一部から出るように設け、更に、隠蔽層１４４を、ニス層１４２よりも面積が小さく、かつ、ニス層１４２の外周の一部から出るように設ける事も可能である。偽装情報インキ層１４３を有し、更に、図２、図３に示すように、ニス層１４２を、隠蔽層１４４よりも面積が大きく、かつ、隠蔽層１４４の外周の一部から出るように設け、更に、隠蔽層１４４を、ニス層１４２よりも面積が小さく、かつ、ニス層１４２の外周の一部から出るように設けることによって、基板シートの裏面から強い光を当てて、情報インキ層１４１を最外層である隠蔽層１４４に影として写し出して抽選情報を事前に読み取るという不正行為と共に、選択したくじ部分１４０の隠蔽層１４４を剥がしたときそれがはずれくじであった場合に、あたかも剥がしていないかのように元に戻すという不正行為も防ぐことができるようになる。また、ニス層１４２が隠蔽層１４４よりも面積が大きく、かつ、隠蔽層１４４の外周よりも出るように設けられているため、紙剥けを生じることなく隠蔽層１４４を剥がすことができるのは言うまでもない。
【０１４９】
また、本実施の形態において、隠蔽層１４４は情報インキ層１４１の端点から端点までの長さ１４５の最大値をその直径とする円としたが、これに限定する必要はない。すくなくとも、情報インキ層１４１と偽装情報インキ層１４３を隠蔽することができればどのような形にしてもよい。また、本実施の形態では、情報インキ層１４１と偽装情報インキ層１４３は、ニス層１４２がその間に介在するが、上下に重複しているため、影として隠蔽層１４４に写し出されたときは文字として読むことができない。したがって、例えば、情報インキ層１４１と偽装情報インキ層１４３が重複した形どおりに隠蔽層１４４の形を形成しても、情報インキ層１４１が抽選情報と偽装情報のどちらを有しているのか判断することはできないため、情報インキ層１４１と偽装情報インキ層１４３が重複した形どおりに隠蔽層１４４の形を形成することも可能である。また、このように、情報インキ層１４１と偽装情報インキ層１４３が重複した形どおりに隠蔽層１４４の形を形成すると隠蔽層１４４の原料を最小限に押えることが可能となる。
【０１５０】
更に、本実施の形態において、偽装情報インキ層１４３はニス層１４２との接着力が弱く、隠蔽層１４４との接着力が強いため、隠蔽層１４４と共に剥がされる。よって、隠蔽層１４４を剥がした後は情報インキ層１４１のみを目視することが可能となる。また、偽装情報インキ層１４３は、隠蔽層１４４と共に剥がされるため、引き剥がした後の接着テープに貼着している。例えば、くじ部分１４０がはずれくじである場合には、隠蔽層１４４を剥がすと「はずれ」という文字が基板シート上に現れ、引き剥がした後の接着テープに「あたり」という文字が貼着することになる。したがって、接着テープを見ると「あたり」という文字が隠蔽層１４４と共に見えることになるので、接着テープにある「あたり」という文字を指して「『あたり』という文字を剥がしたのだからこれはあたりくじである」、というような誤解が生じる可能性もある。このような事態を招かないようにするには、あたりくじの見本をくじ部分の近くに設けるとよい。
【０１５１】
また、本実施の形態では、偽装情報インキ層１４３をはずれくじに設ける情報インキ層１４１と同じものとしたが、これに限定する必要はない。更に、あたりくじにのみ当選という情報を提供するものを設けるタイプのくじにおいても、偽装情報インキ層１４３を設けることによって、事前に抽選情報を読み取るという不正行為を効果的に防ぐことが可能となる。すなわち、あたりくじにのみ「あたり」などの当選という情報を提供するものが情報インキ層１４１に形成され、はずれくじの情報インキ層１４１には何も形成されていないということをもって落選とするタイプのくじにおいて、はずれくじの偽装情報インキ層１４３に、あたりくじの情報インキ層１４１に設けた抽選情報と同じものをあたりくじの情報インキ層１４１と同じように設ければ、基板シートの裏面から強い光を当てて、情報インキ層１４１を最外層に影として写し出しても、すべてのくじ部分１４０の最外層に当選に該当する情報が影として写し出されることになり、どのくじ部分が本当のあたりくじなのかを判断することを非常に困難にすることができるようになる。このようにすると、あたりくじは情報インキ層１４１、ニス層１４２、隠蔽層１４４を有するのに対し、はずれくじはニス層１４２、偽装情報インキ層１４３、隠蔽層１４４を有するようになるので、それぞれのくじ部分１４０全体の厚みは同じになるが、あたりくじは基板シート上に情報インキ層１４１を設け、情報インキ層１４１の上にニス層１４２が積層され、更にその上に隠蔽層１４４が積層されるのに対し、はずれくじは基板シート上にニス層１４２が設けられ、ニス層１４２の上に偽装情報インキ層１４３が積層され、更にその上に隠蔽層１４４が積層されるため、はずれくじの隠蔽層１４４にのみ、偽装情報インキ層１４３による凹凸ができてしまい、どのくじ部分がはずれくじかわかってしまうことも考えられる。したがって、隠蔽層１４４を厚く設けるか、若しくは、隠蔽層１４４にできる凹凸をそろえるために、あたりくじに偽装情報インキ層１４３を、はずれくじに情報インキ層１４１をそれそれ設けるとよい。このとき、基板シートの裏面から強い光を当てた時に、全てのくじ部分がすくなくとも当選に該当する抽選情報を隠蔽層１４４に影として写し出すように、あたりくじの情報インキ層１４１が有する抽選情報と、はずれくじの情報インキ層１４１が有する抽選情報の種類をそれぞれ違うものにするとよい。例えば、あたりくじの情報インキ層１４１を文字からなる「あたり」にし、はずれくじの情報インキ層１４１を図形からなる模様にして、あたりくじには偽装情報インキ層１４３にはずれくじの情報インキ層１４１を、はずれくじには偽装情報インキ層１４３にあたりくじの情報インキ層１４１をそれぞれ設ければ、あたりくじとはずれくじとで隠蔽層１４４にできる凹凸の差がなくなり、かつ、基板シートの裏面から強い光を当てても、全てのくじ部分が「あたり」という文字を隠蔽層１４４に影として写し出すため、どれがあたりくじかの判断を困難にすることが可能になる。別段、これらの形態に限定する必要は無く、情報インキ層と偽装情報インキ層をどのように設計してもよい。
【０１５２】
図１０、図１１は本願発明の別の実施の形態を示したものである。図１０において、１６０は冊子体、１６１は冊子体の綴じ部、１６２は冊子体の本文、１６３は冊子体の１頁片、１６４はくじ部分を有する抽選シート、１６５は左切り取り線、１６６は上切り取り線、１６７は抽選シートの右辺、１６８は抽選シートの下辺、１６９はくじ部分、１７０はニス層、１７１は隠蔽層、１７２は見だし部分である。
【０１５３】
図１０において、冊子体１６０は無線綴じ方式の冊子であり、いくつかの折丁を綴じ部１６１において綴じ、更に表紙を設けたものである。抽選シート１６４は、いくつかの折丁のうち、一つの折の１頁片１６３内に本文１６２と共に設けられている。抽選シート１６４は長方形をしており、その右辺１６７が冊子体１６０の小口を形成し、また、その下片１６８が冊子体の地を形成している。また、抽選シートの左辺と上辺は切り取り可能になっており、抽選シート１６４が取り外し可能になっている。抽選シート１６４は、本願発明の請求項１乃至請求項６何れか記載の印刷物である。具体的には、当選と落選のうちどちらかの情報を有しているくじ部分１６９が９個設けられており、３つずつ、均等に並んでいる。図示しないが、抽選シート１６４の裏面には宛先等が書かれており、左切り取り線１６５と上切り取り線１６６によって切り取られた抽選シート１６４は、１枚の葉書となる。本実施の形態では、印刷物である抽選シート１６４を折丁の１頁片１６３内に設け、無線綴じで綴じる方法を採用しているが、これに限定するものではない。例えば、折丁の１頁片１６３全てにくじ部分を設けてもよく、更には、１折丁全てにくじ部分を設けてもよい。また、綴じ方も、公知の綴じ方式を採用することができ、例えば、中綴じ、アジロ綴じ、平綴じ等の方式を採用することができる。
【０１５４】
本実施の形態の冊子体１６０の用途は雑誌であり、抽選シート１６４を使用した懸賞が行われている。この場合、懸賞主催者は出版社又は広告主であり、懸賞参加者は雑誌を購入した読者となる。懸賞参加者は抽選シート１６４を有する冊子体である雑誌を購入し、９個あるくじ部分１６９のうち一つを選択し、そのくじ部分１６９の隠蔽層１７１を接着テープによって剥がし、当選の場合は左切り取り線１６５と上切り取り線１６６とを切りとって、抽選シート１６４の裏面にされた宛先に送付することにより、商品を入手することができる。本願発明によれば、くじ部分１６９の隠蔽層１７１は固く強固であるため、傷がつきにくい。よって、隠蔽層１７１を剥がさないくじ部分１６９がある状態でポストに投函しても、他の郵便物とこすり合うことによって、剥がしていない隠蔽層１７１が剥がされてしまうことはないため、剥がさない隠蔽層１７１がある状態ままポストに投函することが可能である。このようにすることによって、より公正な抽選シート１６８を作成することが期待できる。本実施の形態では、冊子体１６０は雑誌であるが、これに限定するわけではない。本願発明によれば、例えば、ゲームの本や幼児の学習用の本として、本文中の所々にくじ部分を設けるような本を作成することも可能である。
【０１５５】
また、本願発明によれば、基板シートに薄い紙を採用することができるので、折丁の折の種類もどのようなものでも採用することが可能である。例えば、基板シート上の任意の場所にくじ部分１６９を設けてから、図１１（Ａ）に示すような二つ折（４ページ折）、図１１（Ｂ）に示すような四つ折（４ページ折）、図１１（Ｃ）に示すような１２ページ折、図１１（Ｄ）に示すような１６ページ折、図１１（Ｅ）に示すような巻き三つ折（片観音折）、図１１（Ｆ）に示すような外三つ折（Ｚ折）、図１１（Ｇ）に示すような内巻き四つ折（両観音折）等の公知の折り方を採用することが可能である。また、基板シート上の任意の場所に本願発明のくじ部分を設け、図１１に示すような折を採用して、パンフレットや広告紙を作成すれば、より宣伝効果を高めることが期待できる。
【０１５６】
【発明の効果】
本願発明の請求項１によれば、ニス層を、隠蔽層よりも面積が大きく、かつ、隠蔽層よりも出るように設けているため、ニス層が紙の表面を保護する役割を果たし、接着テープによる紙剥けを防ぐ役割を担う。したがって、基板シートに表面強度の弱い紙を採用して、接着テープによって剥離可能な隠蔽層を施しても、紙剥けを生ずることなく隠蔽層を剥がすことが可能であるという作用効果を奏する。
【０１５７】
また、本願発明の請求項２によれば、基板シートの上に情報インキ層と任意の順で積層することができる下地インキ層を有し、更に、ニス層を、隠蔽層よりも面積が大きく、かつ、隠蔽層よりも出るように設けているため、基板シートの裏面から強い光を当てて抽選情報を最外層に影として写しだしても、写し出された影による抽選情報の解読を困難にさせるという役割を下地インキ層が担うと共に、紙の表面を保護して接着テープによる紙剥けを防ぐ役割をニス層が担う。したがって、基板シートに薄く表面強度の弱い紙を採用して、接着テープによって剥離可能な隠蔽層を施しても、紙剥けを生ずることなく隠蔽層を剥がすことが可能であり、更に、基板シートの裏面から強い光を当てて、抽選情報を事前に読み取るという不正行為を防ぐ事も可能であるという作用効果を奏する。
【０１５８】
また、本願発明の請求項３によれば、ニス層の上に隠蔽層と共に剥離可能なインキ層を有し、更に、ニス層を、隠蔽層よりも面積が大きく、かつ、隠蔽層よりも出るように設けているため、基板シートの裏面から強い光を当てて抽選情報を最外層に影として写しだしても、写し出された影による抽選情報の解読を困難にさせるという役割をインキ層が担うと共に、紙の表面を保護して接着テープによる紙剥けを防ぐ役割をニス層が担う。したがって、基板シートに薄く表面強度の弱い紙を採用して、接着テープによって剥離可能な隠蔽層を施しても、紙剥けを生ずることなく隠蔽層を剥がすことが可能であり、更に、基板シートの裏面から強い光を当てて、抽選情報を事前に読み取るという不正行為を防ぐ事も可能であるという作用効果を奏する。
【０１５９】
また、本願発明の請求項４によれば、隠蔽層の上に隠蔽層と共に剥離可能なインキ層を有し、更に、ニス層を、隠蔽層よりも面積が大きく、かつ、隠蔽層よりも出るように設けているため、基板シートの裏面から強い光を当てて抽選情報を最外層に影として写しだしても、写し出された影による抽選情報の解読を困難にさせるという役割をインキ層が担うと共に、紙の表面を保護して接着テープによる紙剥けを防ぐ役割をニス層が担う。したがって、基板シートに薄く表面強度の弱い紙を採用して、接着テープによって剥離可能な隠蔽層を施しても、紙剥けを生ずることなく隠蔽層を剥がすことが可能であり、更に、基板シートの裏面から強い光を当てて、抽選情報を事前に読み取るという不正行為を防ぐ事も可能であるという作用効果を奏する。
【０１６０】
また、本願発明の請求項５によれば、情報インキ層を網点面積率が略３０％以下になるように設けているため、基板シートの裏面から強い光を当てて情報インキ層を最外層に写し出そうとすることを、防ぐことが可能であるという作用効果を奏する。
【０１６１】
また、本願発明の請求項６の発明によれば、冊子体（例えば、雑誌、書籍カタログ、パンフレット等）に、くじ等を提供することが可能となる。また、この提供されるくじ等は、本文と同じ頁に設けることが可能であるので、より薄く、持ち運びやすい冊子体を提供することが可能であるという作用効果を奏する。
【図面の簡単な説明】
【図１】（Ａ）本願発明の印刷物を示す上面図である。
（Ｂ）本願発明の印刷物を示す上面図の点線ａ−ａでの断面図である。
【図２】本願発明の印刷物においてのくじ部分のみを拡大した拡大上面図である。
【図３】同じく本願発明の印刷物においてのくじ部分のみを拡大した拡大上面図である。
【図４】（Ａ）同じく本願発明の印刷物においてのくじ部分のみを拡大した拡大上面図である。
（Ｂ）同じく本願発明の印刷物においてのくじ部分のみを拡大した拡大上面図である。
【図５】本願発明の印刷物を示す上面図の点線ａ−ａでの断面図である。
【図６】（Ａ）本願発明の印刷物においての下地インキ層の拡大上面図である。
（Ｂ）本願発明の印刷物においての情報インキ層の拡大上面図である。
（Ｃ）本願発明の印刷物においてのニス層の拡大上面図である。
（Ｄ）本願発明の印刷物においての隠蔽層の拡大上面図である。
（Ｅ）本願発明の印刷物においてのくじ部分の拡大上面図である。
【図７】本願発明の印刷物を示す上面図の点線ａ−ａでの断面図である。
【図８】（Ａ）本願発明の印刷物においての情報インキ層の拡大上面図である。
（Ｂ）本願発明の印刷物においてのニス層の拡大上面図である。
（Ｃ）本願発明の印刷物においてのインキ層の拡大上面図である。
（Ｄ）本願発明の印刷物においての隠蔽層の拡大上面図である。
（Ｅ）本願発明の印刷物においてのくじ部分の拡大上面図である。
【図９】（Ａ）本願発明の印刷物においての情報インキ層の拡大上面図である。
（Ｂ）本願発明の印刷物においてのニス層の拡大上面図である。
（Ｃ）本願発明の印刷物においてのインキ層である偽装情報インキ層の拡大上面図である。
（Ｄ）本願発明の印刷物においての隠蔽層の拡大上面図である。
（Ｅ）本願発明の印刷物においてのくじ部分の拡大上面図である。
【図１０】本願発明の印刷物を折丁として無線綴じ本に綴じこんだ状態を表す概略図である。
【図１１】（Ａ）本願発明の印刷物を表す概略図である。
（Ｂ）本願発明の印刷物を表す概略図である。
（Ｃ）本願発明の印刷物を表す概略図である。
（Ｄ）本願発明の印刷物を表す概略図である。
（Ｅ）本願発明の印刷物を表す概略図である。
（Ｆ）本願発明の印刷物を表す概略図である。
（Ｇ）本願発明の印刷物を表す概略図である。
【符号の説明】
１…印刷物である抽選カード、２…基板シート、３…「あたり」または「はずれ」という情報を有するくじ部分、４…情報インキ層、５…ニス層、６…隠蔽層、７…ニス層と隠蔽層との半径の差、８…絵柄部分である見だし部分、９…絵柄部分である説明書き部分
【図１】
2004114391.tif 000009
【図２】
2004114391.tif 000010
【図３】
2004114391.tif 000011
【図４】
2004114391.tif 000012
【図５】
2004114391.tif 000013
【図６】
2004114391.tif 000014
【図７】
2004114391.tif 000015
【図８】
2004114391.tif 000016
【図９】
2004114391.tif 000017
【図１０】
2004114391.tif 000018
【図１１】
2004114391.tif 000019